(57)【要約】【課題】既に人がいる部屋の快適性を損なうことなく、新たに人が入室した部屋の不快感を迅速に低減するセントラル空調システムを提供する。【解決手段】部屋Ａで通常空調モードを実施しているとき、他の部屋Ｃが急速空調モードへ移行していれば、部屋Ａの空調を制限し、急速空調を実施している部屋Ｃへ冷気または暖気を集中して供給する。例えば部屋Ａが通常設定温度２５℃を挟んで下限２４℃、上限２６℃で冷房されているとき、部屋Ｃで急速空調が実施されると、部屋Ａは下限を通常設定温度２５℃として下限２５℃と上限２６℃との間で空調される。そのため、部屋Ａに供給すべき冷気は、早い段階で部屋Ｃへ供給される。これにより、通常空調を実施している部屋Ａにおける不快感を増大させることなく、新たに人７０が入室した部屋Ｃの温度は迅速に変化する。【選択図】図１
2010271009.tif 000002
【特許請求の範囲】
【請求項１】
熱交換した空気を供給する空調ユニットと、前記空調ユニットと家屋の複数の部屋とをそれぞれ接続し前記空調ユニットで熱交換した空気が流れる複数の空調ダクトと、前記空調ダクトにそれぞれ設けられ各前記空調ダクトを開閉する複数の開閉弁と、前記複数の部屋にそれぞれ設けられ各部屋の人の有無を検出する人検出センサと、前記複数の部屋にそれぞれ設けられ各部屋の温度を検出する温度センサと、前記人検出センサで検出した各部屋の人の有無および前記温度センサで検出した各部屋の温度に基づいて前記複数の開閉弁を開閉して前記複数の部屋の温度を部屋ごとに制御する制御装置と、を備え、一つの前記空調ユニットで前記複数の部屋を空調するセントラル空調システムにおいて、
前記制御装置は、前記複数の部屋ごとに人の有無を検出する人検出処理と、前記人検出処理において人を検出した有人部屋では人の在室を示す在室フラグをオンにして前記有人部屋を予め設定された通常設定温度Ｔを挟んで外気温に近い通常外気温側限界温度Ｔｃ１と外気温から遠い通常反外気温側限界温度Ｔｃ２との間の通常温度範囲ΔＴに制御する通常空調を実施する通常空調モード処理と、前記人検出処理において人を検出しない無人部屋では前記通常設定温度Ｔよりも外気温に近い不在時設定温度ｔに制御する省エネ空調を実施する不在時処理と、前記不在時設定温度ｔに制御されている部屋を前記通常設定温度Ｔへ急速空調する急速空調モード移行処理と、前記空調ダクトのいずれかを閉鎖するダクト閉鎖処理と、を含み、
前記制御装置は、前記複数の部屋を順に制御対象部屋として繰り返して制御し、前記制御対象部屋が前記無人部屋であるとき前記不在時処理を実行し、前記制御対象部屋が前記有人部屋であるとき前記空調モード確認処理を実行し、
前記空調モード確認処理は、前記通常空調モード処理の実行を示す通常空調フラグがオンであるか否かを判断し、前記通常空調フラグがオンであれば前記通常空調モード処理を実行し、前記通常空調フラグがオフであれば前記温度センサで検出した前記制御対象部屋の温度が前記通常温度範囲ΔＴにあるか否かを判断し、前記制御対象部屋の温度が前記通常温度範囲ΔＴにないとき、前記急速空調モード移行処理の実行を示す急速空調フラグがオンであるか否かを判断して前記急速空調フラグがオフであれば前記急速空調モード移行処理を実行し前記急速空調フラグがオンであれば次の制御対象部屋における処理に移行するとともに、前記制御対象部屋の温度が前記通常温度範囲ΔＴにあれば前記通常空調フラグをオンにして前記急速空調フラグをオフにして前記通常空調モード処理を実行し、
前記通常空調モード処理は、前記温度センサで前記制御対象部屋の温度を検出する温度検出処理と、前記制御対象部屋以外の非制御対象部屋のいずれかにおいて前記急速空調フラグがオンであるか否かを判断する急速空調判断処理と、前記非制御対象部屋のいずれかにおいて前記急速空調フラグがオンであれば前記急速空調フラグがオンになっている急速空調非制御対象部屋の温度と前記制御対象部屋の前記通常外気温側限界温度Ｔｃ１とを比較して、前記急速空調非制御対象部屋の温度が前記通常外気温側限界温度Ｔｃ１より外気温に近いとき前記制御対象部屋における温度制御を制限する温度制御制限フラグをオンにして前記制御対象部屋の温度制御範囲の外気温に遠い側の境界値を前記通常設定温度Ｔに設定し、前記急速空調非制御対象部屋の温度が前記通常外気温側限界温度Ｔｃ１より前記設定温度に近いとき前記制御対象部屋における前記温度制御制限フラグをオフにして前記制御対象部屋における温度制御範囲を前記通常温度範囲ΔＴに設定し、前記非制御対象部屋のいずれでも前記急速空調フラグがオフであれば前記制御対象部屋の前記温度制御制限フラグをオフにして前記制御対象部屋における温度制御範囲を前記通常温度範囲ΔＴに設定する温度範囲設定処理と、を含み、前記温度検出処理、前記急速空調判断処理および前記温度範囲設定処理の後に前記温度センサで検出した前記制御対象部屋の温度が前記温度範囲設定処理で設定された温度制御範囲のうち外気温に近い側の境界値に到達したとき、前記制御対象部屋の前記開閉弁を開放し、外気温から遠い側の境界値に到達したとき前記制御対象部屋の前記開閉弁を閉鎖し、
前記不在時処理は、前記人検出処理において前記制御対象部屋が前記無人部屋と判断されたときに実行され、前記在室フラグがオンであれば前記在室フラグをオフにして前記通常空調フラグおよび前記急速空調フラグをオフにするとともに、前記非制御対象部屋のいずれかにおいて前記急速空調フラグがオンであるか否かを判断し、前記非制御対象部屋のいずれかにおいて前記急速空調フラグがオンであれば前記制御対象部屋における温度制御を停止し、前記非制御対象部屋のいずれかにおいて前記急速空調フラグがオフであれば前記制御対象部屋を前記不在時設定温度に制御し、
前記急速空調モード移行処理は、前記制御対象部屋における前記在室フラグおよび前記急速空調フラグをオンして、前記制御対象部屋における前記開閉弁を全開にすることを特徴とするセントラル空調システム。
【請求項２】
熱交換した空気を供給する空調ユニットと、前記空調ユニットと家屋の複数の部屋とをそれぞれ接続し前記空調ユニットで熱交換した空気が流れる複数の空調ダクトと、前記空調ダクトにそれぞれ設けられ各前記空調ダクトを開閉する複数の開閉弁と、前記複数の部屋にそれぞれ設けられ各部屋の人の有無を検出する人検出センサと、前記複数の部屋にそれぞれ設けられ各部屋の温度を検出する温度センサと、前記人検出センサで検出した各部屋の人の有無および前記温度センサで検出した各部屋の温度に基づいて前記複数の開閉弁を開閉して前記複数の部屋の温度を部屋ごとに制御する制御装置と、を備え、一つの前記空調ユニットで前記複数の部屋を空調するセントラル空調システムにおいて、
前記制御装置は、前記複数の部屋ごとに人の有無を検出する人検出処理と、前記人検出処理において人を検出した有人部屋では人の在室を示す在室フラグをオンにして前記有人部屋を予め設定された通常設定温度Ｔを挟んで外気温に近い通常外気温側限界温度Ｔｃ１と外気温から遠い通常反外気温側限界温度Ｔｃ２との間の通常温度範囲ΔＴに制御する通常空調を実施する通常空調モード処理と、前記人検出処理において人を検出しない無人部屋では前記通常設定温度Ｔよりも外気温に近い不在時設定温度ｔを挟んで前記通常外気温側限界温度Ｔｃ１よりもさらに外気温に近い不在時外気温側限界温度ｔｃ１と不在時反外気温側限界温度ｔｃ２との間の不在時温度範囲Δｔに制御する省エネ空調を実施する不在時処理と、前記不在時設定温度ｔに制御されている部屋を前記通常設定温度Ｔへ急速空調する急速空調モード移行処理と、を含み、前記温度センサで検出した温度が前記通常外気温側限界温度Ｔｃ１または前記不在時外気温側限界温度ｔｃ１に達すると前記開閉弁を開放し、前記通常反外気温側限界温度Ｔｃ２または前記不在時反外気温側限界温度ｔｃ２に達すると前記開閉弁を閉鎖する空調制御を実施し、
前記制御装置は、前記複数の部屋を順に制御対象部屋として繰り返して制御し、前記制御対象部屋で前記通常空調モード処理を実行しているときに、前記制御対象部屋と異なる非制御対象部屋において前記急速空調モード移行処理が実行される場合、前記制御対象部屋における前記通常空調モード処理において前記非制御対象部屋を優先して急速空調する前記非制御対象部屋急速空調優先処理を実行し、
前記非制御対象部屋急速空調優先処理は、
前記温度センサで検出した前記制御対象部屋の温度と前記非制御対象部屋の温度とを比較して、前記制御対象部屋よりも前記非制御対象部屋の温度が外気温から遠いとき、前記制御対象部屋の空調を停止する空調停止フラグがオンであるか否かを判断し、前記空調停止フラグがオンであれば前記空調停止フラグをオフにするとともに、前記制御対象部屋の温度を前記通常温度範囲ΔＴで制御する温度比較処理と、
前記温度比較処理において、前記制御対象部屋よりも前記非制御対象部屋の温度が外気温に近いとき、前記制御対象部屋の温度を前記通常外気温側限界温度Ｔｃ１より外気温に近い制限外気温側限界温度Ｔｄ１と、前記通常外気温側限界温度Ｔｃ１と前記通常反外気温側限界温度Ｔｃ２との間に設定される制限反外気温側限界温度Ｔｄ２との間で制御し、前記制御対象部屋の前記空調停止フラグをオンにして前記制御対象部屋の前記空調ダクトに設けられている前記開閉弁を閉鎖する制御対象部屋制限空調処理と、
前記制御対象部屋における前記空調停止フラグがオンであるとき前記制御対象部屋の前記空調制限フラグがオンであるか否かを判断し、前記制御対象部屋の前記空調制限フラグがオフであるとき、前記温度センサで検出した前記制御対象部屋の温度が前記制限外気温側限界温度Ｔｄ１に達したか否かを判断する温度到達判断処理と、
前記制御対象部屋の温度が前記制限外気温側限界温度Ｔｄ１に達すると、前記制限外気温側限界温度Ｔｄ１を前記通常外気温側限界温度Ｔｃ１に設定し、前記制御対象部屋の前記空調ダクトに設けられている前記開閉弁を開放するとともに、前記制御対象部屋の前記空調制限フラグをオンにする制御対象部屋通常空調処理と、
を含むことを特徴とするセントラル空調システム。
【請求項３】
前記温度比較処理において、
前記制限外気温側限界温度Ｔｄ１と前記制限反外気温側限界温度Ｔｄ２との差は、前記通常温度範囲ΔＴに設定され、
前記制限反外気温側限界温度Ｔｄ２は、前記通常設定温度Ｔと前記通常反外気温側限界温度Ｔｃ２との間に設定され、
前記非制御対象部屋急速空調優先処理において、
前記非制御対象部屋において前記急速空調モード移行処理へ移行したとき、前記制御対象部屋の温度制御の第一回目について前記制限外気温側限界温度Ｔｄ１と前記制限反外気温側限界温度Ｔｄ２との間で温度制御を実行することを特徴とする請求項２記載のセントラル空調システム。
【請求項４】
前記制限反外気温側限界温度Ｔｄ２は、前記制御対象部屋制限空調処理において前記温度センサで検出した前記制御対象部屋の現在の温度に設定し、
前記制限外気温側限界温度Ｔｄ１は、前記制限反外気温側限界温度Ｔｄ２から前記通常温度範囲ΔＴの範囲に設定されていることを特徴とする請求項２記載のセントラル空調システム。
【請求項５】
前記温度比較処理を開始した後において前記温度センサで検出した前記制御対象部屋の温度が最初に前記制限反外気温側限界温度Ｔｄ２に達すると、前記制限反外気温側限界温度Ｔｄ２を前記通常設定温度Ｔと前記通常反外気温側限界温度Ｔｃ２との間に設定することを特徴とする請求項４記載のセントラル空調システム。
【発明の詳細な説明】
【技術分野】
【０００１】
本発明は、一つの空調ユニットで家屋の複数の部屋を空調するセントラル空調システムに関する。
【背景技術】
【０００２】
例えばヒートポンプなどの一つの空調ユニットを用いて家屋の複数の部屋を空調するセントラル空調システムが公知である。セントラル空調システムでは、空調ユニットと各部屋との間を空調ダクトで接続し、空調ユニットにおける熱交換で生成した冷気または暖気を空調ダクトを経由して各部屋へ供給している。このセントラル空調システムの制御装置は、空調ユニットから送られた冷気または暖気を利用して、各部屋ごとに所望の設定温度に制御している。
【０００３】
このようなセントラル空調システムにおいても、近年の省エネルギーへの対応は不可欠である。そこで、セントラル空調システムの場合、省エネルギーへの対応のために、制御装置は、家屋に設けられた複数の部屋のうち、人が在室している部屋では設定温度に近似した快適温度に制御し、人が不在の部屋では設定温度との間に数℃の幅をもたせた省エネ温度に制御することが提案されている（特許文献１参照）。
【先行技術文献】
【特許文献】
【０００４】
【特許文献１】特開平１１−２９４８３９号公報
【発明の概要】
【発明が解決しようとする課題】
【０００５】
しかしながら、特許文献１のように人の在室または不在を条件として温度の制御を切り替える場合、不在の部屋に人が入室しても、人が入室した部屋の温度を迅速に変更することは困難である。すなわち、セントラル空調システムは、家屋の複数の部屋を同時に空調している。そのため、セントラル空調システムの場合、既に人がいる部屋の快適さを維持したまま、新たに人が入室した部屋を急速に快適にすることは困難である。一方、例えば空調を停止することにより既に人がいる部屋の快適さを犠牲にすれば、新たに人が入室した部屋を急速に快適にすることも可能となる。しかし、複数の部屋で快適性の維持が重要なセントラル空調システムの場合、いずれかの部屋の快適性を犠牲にすることは好ましくない。
【０００６】
そこで、本発明の目的は、既に人がいる部屋の快適性を損なうことなく、新たに人が入室した部屋の不快感を迅速に低減するセントラル空調システムを提供することにある。
【課題を解決するための手段】
【０００７】
請求項１記載の発明では、制御装置は、複数の部屋のうちいずれかの部屋で通常空調モードを実施しているとき、他のいずれかの部屋で不在時設定温度から通常設定温度へ移行する、すなわち急速空調モードへ移行しているか否かを判断する。制御装置は、他の部屋のいずれかで急速空調が実施されている場合、通常空調モードで空調を実施している部屋の空調を制限し、急速空調を実施している部屋へ冷気または暖気を集中して供給する。これにより、通常空調を実施している部屋における不快感を増大させることなく、新たに人が入室した部屋の温度を迅速に変化させることができる。
【０００８】
例えば、冷房時においてある部屋Ａが設定温度（２６℃）を挟んで通常外気温側限界温度（２８℃）と通常反外気温側限界温度（２４℃）との間に設定されているとき、他の部屋Ｂで急速空調を実施する場合、部屋Ａでは温度制御する外気温に近い側の境界値が通常反外気温側限界温度（２４℃）より外気温に近い通常設定温度（２６℃）に設定される。このように部屋Ａにおける外気温に近い側の境界値を外気温に近づけて開閉弁の開閉を制御することにより、部屋Ａにおける開閉弁の閉鎖時期が早められ、急速空調が必要な部屋Ｂにはより集中して冷気が供給される。一方、部屋Ａは、通常反外気温側限界温度（２４℃）までは低下しないものの、通常設定温度（２６℃）までは低下する。そのため、部屋Ａは、通常の設定温度の範囲内である通常設定温度（２６℃）と通常外気温側限界温度（２８℃）との間で温度が制御される。その結果、部屋Ａにおける平均温度は２７℃となり、通常の外気温側限界温度（２８℃）を超えることはない。したがって、既に人がいる部屋の快適性を損なうことなく、新たに人が入室した部屋の不快感を迅速に低減することができる。
【０００９】
請求項２または３記載の発明では、制御装置は、複数の部屋のうちいずれかの部屋で通常空調モードを実施しているとき、他のいずれかの部屋で不在時設定温度から通常設定温度へ移行する、すなわち急速空調モードへ移行しているか否かを判断する。制御装置は、他の部屋のいずれかで急速空調が実施されている場合、通常空調モードで空調を実施している部屋の空調を制限し、急速空調を実施している部屋へ冷気または暖気を集中して供給する。これにより、通常空調を実施している部屋における不快感を増大させることなく、新たに人が入室した部屋の温度を迅速に変化させることができる。
【００１０】
例えば冷房時においてある部屋Ａが通常設定温度（２６℃）を挟んで通常外気温側限界温度（２８℃）と通常反外気温側限界温度（２４℃）との間に設定されているとき、他の部屋Ｂで急速空調を実施する場合、部屋Ａでは温度制御する制限反外気温側限界温度が通常反外気温側限界温度（２４℃）より外気温に近い通常設定温度（２６℃）に設定される。特に請求項２記載の発明の場合、部屋Ａでは制限外気温側限界温度についても、通常外気温側限界温度（２８℃）と同一またはそれ以上（例えば、制限反外気温側限界温度に通常時におけるに設定差を加えた温度。本例の場合、３０℃である。）に設定される。このように部屋Ａにおける制限外気温側限界温度および制限反外気温側限界温度をいずれも外気温に近づけて開閉弁の開閉を制御することにより、部屋Ａにおける開閉弁の閉鎖時期が早められ、急速空調が必要な部屋Ｂにはより集中して冷気が供給される。一方、部屋Ａは、通常反外気温側限界温度（２４℃）までは低下しないものの、通常設定温度（２６℃）までは低下する。そのため、部屋Ａは、通常の設定温度の範囲内である通常設定温度（２６℃）と通常外気温側限界温度（２８℃）との間で温度が制御される。その結果、部屋Ａにおける平均温度は２７℃となり、通常の外気温側設定温度（２８℃）を超えることはない。また、部屋Ａの制限外気温側限界温度を通常外気温側限界温度以上に設定した場合でも、制限外気温側限界温度に達するのは例えば最初の開閉弁の開閉時など、短期間だけに限定される。そのため、他の部屋を急速空調するために部屋Ａの空調を制限しても、部屋Ａに在室している人はその温度変化にほとんど気づかず、部屋Ａの人に与える不快感は小さくなる。
【００１１】
このように、部屋Ｂにおいて急速空調が実施されるとき、部屋Ａでは通常空調の場合と比較して制限外気温側限界温度および制限反外気温側温度がいずれも外気温側にシフトされる。そのため、現時点で部屋Ａが快適な空調状態であったとしても、部屋Ａへの空調は必ず一旦停止される。その結果、急速空調へ移行した部屋Ｂにおいて急速空調への移行当初から集中的な空調が可能となる。これにより、急速空調が必要な部屋Ｂについて、急速空調へ移行した直後の最も不快な状態は迅速に解消される。したがって、既に人がいる部屋の快適性を損なうことなく、新たに人が入室した部屋の不快感を迅速に低減することができる。さらに、他の部屋の状況に関わらず急速空調が必要な部屋は、人の入室とともに最大能力での空調が行われる。そのため、快適温度に達するまでの時間は変化しないものの、不在時上限温度に近い不快感の高い温度帯が持続する期間は減少する。したがって、快適温度に到達するまでの不快な期間を最小限にすることができる。
【００１２】
また、請求項３記載の発明では、通常外気温側限界温度Ｔｃ１と制限外気温側限界温度Ｔｄ１とが近似するとき、および通常外気温側限界温度Ｔｃ２と制限外気温側限界温度Ｔｄ２とが近似するとき、外気温側と反外気温側の限界温度間の温度範囲は通常の温度範囲ΔＴと同一である。また、制限外気温側限界温度Ｔｄ２は、通常設定温度Ｔと通常反外気温側限界温度Ｔｃ２との間に設定される。そして、非制御対象部屋において急速空調モードへ移行したとき、制御対象部屋は温度制御の第一回目のみ設定された制限外気温側限界温度Ｔｄ１と制限反外気温側限界温度Ｔｄ２との間で温度の制御が実行される。したがって、通常外気温側限界温度Ｔｃ１と制限外気温側限界温度Ｔｄ１、および通常外気温側限界温度Ｔｃ２と制限外気温側限界温度Ｔｄ２とが近似する場合でも、制御対象部屋に不快感を招くことなく、急速空調が必要な非制御対象部屋を急速に空調することができる。
【００１３】
請求項４記載の発明では、制限反外気温側限界温度Ｔｄ２は、人が在室している制御対象部屋の現在の温度に設定される。そして、この制御対象部屋における外気温側の温度である制限外気温側限界温度Ｔｄ１は、制限反外気温側限界温度Ｔｄ２から通常温度範囲ΔＴの範囲に設定されている。これにより、人が在室している部屋の制限外気温側限界温度Ｔｄ１は、外気温に近づいても、その通常設定温度Ｔから通常温度範囲ΔＴの範囲となる。すなわち、冷房時の場合、その部屋の温度は、最高でも通常外気温側限界温度Ｔｃ１よりも数℃程度高くなるにすぎない。そのため、ある部屋を急速空調している場合でも、他の部屋に在室している人は温度が通常外気温側限界温度Ｔｃ１を超えたことを気づきにくい。したがって、急速空調を実施する場合でも、他の部屋における不快感を低減することができる。
【００１４】
請求項５記載の発明では、他の部屋で急速空調している場合でも、開閉弁の開閉間隔を通常の温度制御のときと同一となる。したがって、開閉弁の開閉動作の回数を増加させる必要がなく、制御を容易にすることができる。
【図面の簡単な説明】
【００１５】
【図１】本発明の第１実施形態によるセントラル空調システムを適用した家屋を示す模式図であり、部屋Ａに人が在室している状態を示す図
【図２】本発明の第１実施形態によるセントラル空調システムを適用した家屋を示す模式図
【図３】本発明の第１実施形態によるセントラル空調システムを示すブロック図
【図４】本発明の第１実施形態によるセントラル空調システムにおける時間と温度との関係を示す概略図であり、（Ａ）は冷房時の通常設定温度および不在時設定温度を示し、（Ｂ）は制御対象部屋における冷房時の急速空調モードおよび通常空調モードの温度変化を示す
【図５】冷房時および暖房時における通常設定温度および不在時設定温度の制御範囲を示す模式図
【図６】本発明の第１実施形態によるセントラル空調システムの全体的な処理の流れを示す概略図
【図７】本発明の第１実施形態によるセントラル空調システムにおける部屋Ａの空調制御処理の流れを示す概略図
【図８】本発明の第１実施形態によるセントラル空調システムにおける部屋Ａの人検出処理の流れを示す概略図
【図９】本発明の第１実施形態によるセントラル空調システムにおける部屋Ａの不在時処理の流れを示す概略図
【図１０】本発明の第１実施形態によるセントラル空調システムにおける部屋Ａの空調モード確認処理の流れを示す概略図
【図１１】本発明の第１実施形態によるセントラル空調システムにおける部屋Ａの急速空調モード移行処理の流れを示す概略図
【図１２】本発明の第１実施形態によるセントラル空調システムにおける部屋Ａの通常空調モード処理の流れを示す概略図
【図１３】本発明の第１実施形態によるセントラル空調システムにおける部屋Ａおよび部屋Ｃの温度変化を示す概略図
【図１４】第２実施形態によるセントラル空調システムにおける部屋Ａの人検出処理の流れを示す概略図
【図１５】第２実施形態によるセントラル空調システムにおける部屋Ａの人検出処理の流れを示す概略図
【図１６】第２実施形態によるセントラル空調システムにおける部屋Ａの通常空調モード処理の流れを示す概略図
【図１７】冷房時および暖房時おける通常、空調停止フラグ「オン」および空調制限フラグ「オン」の際の温度変化の範囲を示す模式図
【図１８】第２実施形態によるセントラル空調システムにおける部屋Ａおよび部屋Ｃの温度変化を示す概略図
【図１９】第２実施形態によるセントラル空調システムにおける部屋Ａおよび部屋Ｃの温度変化を示す概略図
【発明を実施するための形態】
【００１６】
以下、本発明によるセントラル空調システムの複数の実施形態について図面に基づいて説明する。なお、複数の実施形態において実質的に同一の構成部位には同一の符号を付し、説明を省略する。
（第１実施形態）
まず、本発明の第１実施形態によるセントラル空調システムの構成について説明する。セントラル空調システム１０は、図１および図２に示すように複数の部屋Ａ、部屋Ｂ、部屋Ｃおよび部屋Ｄを有する家屋１１に設けられている。ここでは、説明の簡単のために、四つの部屋Ａ〜部屋Ｄを有する家屋１１を例にして説明する。セントラル空調システム１０は、図１から図３に示すように空調ユニット１２と、空調ダクト２１〜２４と、開閉弁３１〜３４と、四つの部屋Ａ〜部屋Ｄにそれぞれ設けられている温度センサ４１〜４４および人検出センサ５１〜５４と、制御装置６０とを備えている。
【００１７】
空調ユニット１２は、例えば室外機と室内機とからなり、ヒートポンプなど周知の熱交換機を有する。これにより、空調ユニット１２は、各部屋Ａ〜部屋Ｄへ冷気または暖気を供給する。空調ダクト２１は、空調ユニット１２と部屋Ａとを接続している。同様に空調ダクト２２は空調ユニット１２と部屋Ｂとを接続し、空調ダクト２３は空調ユニット１２と部屋Ｃとを接続し、空調ダクト２４は空調ユニット１２と部屋Ｄとを接続している。各空調ダクト２１〜２４の部屋Ａ〜Ｄ側は、それぞれ空調ユニット１２から供給された冷気または暖気が吹き出す吹出口２５〜２８を形成している。開閉弁３１〜３４は、これらの空調ダクト２１〜２４にそれぞれ設けられている。すなわち、開閉弁３１は空調ダクト２１を開閉し、開閉弁３２は空調ダクト２２を開閉し、開閉弁３３は空調ダクト２３を開閉し、開閉弁３４は空調ダクト２４を開閉する。
【００１８】
制御装置６０は、例えばＣＰＵ、ＲＯＭおよびＲＡＭからなるマイクロコンピュータで構成されており、ＲＯＭに記憶されているコンピュータプログラムにしたがってセントラル空調システム１０を総括的に制御する。制御装置６０は、上述の空調ユニット１２および各開閉弁３１〜３４に接続している。空調ユニット１２は、制御装置６０からの指示により冷気または暖気のいずれを生成するかを切り替えるとともに、その生成量を変更する。各開閉弁３１〜３４は、制御装置６０からの指示により対応する空調ダクト２１〜２４を開放または閉鎖する。
【００１９】
制御装置６０は、各部屋Ａ〜Ｄに設けられている温度センサ４１〜４４に接続している。温度センサ４１は、部屋Ａの温度を検出し、検出した温度を電気信号として制御装置６０へ出力する。同様に、温度センサ４２は検出した部屋Ｂの温度を電気信号として制御装置６０へ出力し、温度センサ４３は検出した部屋Ｃの温度を電気信号として制御装置６０へ出力し、温度センサ４４は検出した部屋Ｄの温度を電気信号として制御装置６０へ出力する。また、制御装置６０は、各部屋Ａ〜Ｄに設けられている人検出センサ５１〜５４に接続している。人検出センサ５１は、図１に示すように例えば赤外線や画像などにより部屋Ａにおける人７０の有無を検出し、検出した人７０の有無を電気信号として制御装置６０へ出力する。同様に、人検出センサ５２は検出した部屋Ｂの人７０の有無を電気信号として制御装置６０へ出力し、人検出センサ５３は検出した部屋Ｃの人７０の有無を電気信号として制御装置６０へ出力し、人検出センサ５４は検出した部屋Ｄの人７０の有無を電気信号として制御装置６０へ出力する。
【００２０】
制御装置６０は、人検出センサ５１〜５４で検出した各部屋Ａ〜Ｄごとの人７０の有無、および温度センサ４１〜４４で検出した各部屋Ａ〜Ｄごとの温度に基づいて、各空調ダクト２１〜２４を開閉する開閉弁３１〜３４の開度を調整する。これにより、制御装置６０は、人７０の有無および温度に基づいて各部屋Ａ〜Ｄごとに温度を制御する。
【００２１】
次に、上記の構成によるセントラル空調システム１０の作動について説明する。
（空調モード）
制御装置６０は、家屋１１の部屋Ａ〜Ｄにおける人７０の有無に応じて、通常空調を実施する通常空調モード、省エネ空調を実施する省エネ空調モード、または急速空調を実施する急速空調モードのいずれかで運転する。通常空調モードのとき、図４（Ａ）に示すように各部屋Ａ〜Ｄは予め設定されている通常設定温度Ｔに制御される。省エネ空調モードのとき、各部屋Ａ〜Ｄは、予め設定され通常空調よりも外気温に近い不在時設定温度ｔに制御される。例えば冷房時において通常設定温度Ｔを２５℃に設定しているとき、不在時設定温度ｔはより負荷が小さく外気温に近い２８℃などに設定される。一方、暖房時において通常設定温度Ｔを２５℃に設定しているとき、不在時設定温度ｔはより外気温に近い２２℃などに設定される。
【００２２】
急速空調モードのとき、例えば図４（Ｂ）に示すように人７０が検出された部屋Ａは不在時設定温度ｔから予め設定されている通常設定温度Ｔへ迅速に移行させるために集中的に空調される。これにより、急速空調されている部屋Ａは、図４（Ｂ）の実線で示すように破線で示す通常空調に比較して迅速に通常設定温度Ｔへ移行する。一方、部屋Ａについて急速空調されるとき、空調ユニット１２で生成された冷気または暖気は、部屋Ａへ集中的に供給される。これにより、図４（Ｂ）の実線で示すように部屋Ａの温度は迅速に通常設定温度Ｔへ移行する。一方、部屋Ａ以外の部屋Ｂ、部屋Ｃおよび部屋Ｄでは、部屋Ａの急速空調にともない一時的に空調が制限される。なお、図４では、説明の簡単のため、部屋Ａ〜Ｄにおける平均的な温度の変化を示している。
【００２３】
部屋Ａが通常空調モードであるとき、制御装置６０は部屋Ａの温度を通常設定温度Ｔを挟んで外気温に近い通常外気温側限界温度Ｔｃ１と外気温から遠い通常反外気温側限界温度Ｔｃ２との間の通常温度範囲ΔＴに制御する。例えば冷房の場合、図５に示すように通常設定温度Ｔを２５℃とすると、通常外気温側限界温度Ｔｃ１は２６℃、通常反外気温側限界温度Ｔｃ２は２４℃などに設定される。また、暖房の場合、例えば通常設定温度Ｔを２５℃とすると、通常外気温側限界温度Ｔｃ１は２４℃、通常反外気温側限界温度Ｔｃ２は２６℃などに設定される。制御装置６０は、この通常設定温度Ｔを挟む通常外気温側限界温度Ｔｃ１と通常反外気温側限界温度Ｔｃ２との間の通常温度範囲ΔＴ内に部屋Ａの温度を制御する。
【００２４】
例えば通常空調モードにおける冷房の場合、部屋Ａの温度が通常外気温側限界温度Ｔｃ１＝２６℃に達すると、制御装置６０は空調ダクト２１の開閉弁３１を開放し、部屋Ａへ冷気を供給する。冷気を供給した結果、部屋Ａの温度が通常反外気温側限界温度Ｔｃ２＝２４℃に低下すると、制御装置６０は空調ダクト２１の開閉弁３１を閉鎖し、部屋Ａへの冷気の供給を停止する。これにより、部屋Ａの温度は、平均して通常設定温度Ｔ＝２５℃に制御される。同様に、暖房の場合、部屋Ａの温度が通常外気温側限界温度Ｔｃ１＝２４℃に達すると、制御装置６０は空調ダクト２１の開閉弁３１を開放し、部屋Ａへ暖気を供給する。暖気を供給した結果、部屋Ａの温度が通常反外気温側限界温度Ｔｃ２＝２６℃に達すると、制御装置６０は空調ダクト２１の開閉弁３１を閉鎖し、部屋Ａへの暖気の供給を停止する。これにより、部屋Ａの温度は、平均して通常設定温度Ｔ＝２５℃に制御される。部屋Ａ以外の部屋Ｂ〜Ｄについても同様である。なお、上記の部屋Ａの温度は説明を簡略化するための例示であり、外気温に近い側と外気温に遠い側とで通常設定温度Ｔからの温度差を変更してもよく、冷房時と暖房時とで通常設定温度Ｔからの温度差を変更してもよい。
【００２５】
また、部屋Ａが省エネ空調モードであるとき、制御装置６０は部屋Ａの温度を不在時設定温度ｔを挟んで外気温に近い不在時外気温側限界温度ｔｃ１と外気温から遠い不在時反外気温側限界温度ｔｃ２との間の不在時温度範囲Δｔに制御する。例えば冷房の場合、通常設定温度Ｔを２５℃とすると、不在時設定温度ｔは３０℃に設定され、不在時外気温側限界温度ｔｃ１は３１℃、不在時反外気温側限界温度ｔｃ２は２９℃などに設定される。また、暖房の場合、例えば通常設定温度Ｔを２５℃とすると、不在時設定温度ｔは２０℃に設定され、不在時外気温側限界温度ｔｃ１は１９℃、不在時反外気温側限界温度ｔｃ２は２１℃などに設定される。これにより、部屋Ａは、省エネ空調モードのとき、不在時温度範囲Δｔの間で温度が制御される。その結果、省エネ空調モードでは、通常空調モードに比較して負荷が低減される。なお、上記の部屋Ａの温度は説明を簡略化するための例示である。
【００２６】
（全体的な処理）
まず、図６に基づいてセントラル空調システム１０の全体的な処理の流れについて説明する。
制御装置６０は、セントラル空調システム１０の電源がオンされると、空調ユニット１２を起動する空調ユニット起動処理を実行する（Ｓ１００）。制御装置６０は、空調ユニット１２が起動されると、各部屋Ａ〜Ｄごとに人７０の有無を検出する人検出処理を実行する（Ｓ２００）。人検出処理では、各部屋Ａ〜Ｄのいずれかに人７０がいるか否かが検出される。制御装置６０は、各部屋Ａ〜Ｄごとに設けられている人検出センサ５１〜５４から出力される電気信号に基づいて、各部屋Ａ〜Ｄごとに人７０の有無を検出する。
【００２７】
制御装置６０は、Ｓ２００において人７０が検出された有人部屋では人７０の在室フラグを「オン」にするとともに、その有人部屋に対して通常設定温度Ｔに制御する通常空調を実施する通常空調処理を実行する（Ｓ３００）。一方、制御装置６０は、Ｓ２００において人７０が検出されなかった無人部屋では不在時設定温度ｔに制御する省エネ空調処理を実施する省エネ空調処理を実行する（Ｓ４００）。そして、Ｓ３００における通常空調処理およびＳ４００における省エネ空調処理を実行すると、制御装置６０は各部屋Ａ〜Ｄごとに個別に温度を制御する各部屋空調制御処理へ移行する（Ｓ５００〜Ｓ８００）。制御装置６０は、セントラル空調システム１０の電源がオフになるまで、Ｓ５００〜Ｓ８００の各部屋空調制御処理を繰り返す。
【００２８】
（各部屋空調制御処理）
次に、図７に基づいて各部屋空調制御処理の流れについて説明する。
ここでは、図７に基づいてＳ５００における部屋Ａの空調制御処理の流れについて説明する。なお、Ｓ６００における部屋Ｂの空調制御処理、Ｓ７００における部屋Ｃの空調制御処理およびＳ８００における部屋Ｄの空調制御処理は、いずれも部屋Ａの空調制御処理と実質的に同一であるので、説明を省略する。
【００２９】
制御装置６０は、Ｓ８００における部屋Ｄの空調制御処理が完了すると、Ｓ５００へリターンして部屋Ａの空調制御処理へ移行する。部屋Ａの空調制御処理では、制御装置６０は制御対象部屋である部屋Ａにおける人７０の有無を検出する人検出処理を実行する（Ｓ５１０）。制御装置６０は、Ｓ２００と同様に部屋Ａの人検出センサ５１からの電気信号に基づいて部屋Ａの人７０の有無を検出する。
【００３０】
制御装置６０は、Ｓ５１０において部屋Ａに人７０が検出されない場合（Ｓ５１０：Ｎｏ）、不在時処理へ移行する（Ｓ５２０）。一方、制御装置６０は、Ｓ５１０において部屋Ａに人７０が検出された場合（Ｓ５１０：Ｙｅｓ）、部屋Ａの空調モードを確認する空調モード確認処理を実行する（Ｓ５３０）。ここで、Ｓ５１０において部屋Ａに人７０が検出され、かつＳ５３０で確認された空調モードが通常空調モードであるとき（Ｓ５４０）、制御装置６０は通常空調モードを継続する通常空調モード処理へ移行する（Ｓ５５０）。すなわち、Ｓ５３０で確認された空調モードが通常空調モードであるとき、部屋Ａは継続的に人７０が在室し、通常空調モードにより通常設定温度Ｔに制御されている。そのため、制御装置６０は、通常空調モードを維持する通常空調モード処理を実行する。
【００３１】
これに対し、Ｓ５１０において部屋Ａに人７０が検出され、かつＳ５３０で確認された空調モードが急速空調モードであるとき（Ｓ５６０）、制御装置６０は図６に示す全体の流れのＳ６００へリターンする。すなわち、Ｓ５３０で確認された空調モードが急速空調モードであるとき、部屋Ａは急速空調が継続されている。そのため、制御装置６０は、部屋Ａの空調を急速空調モードに維持したまま、Ｓ６００における部屋Ｂの制御へ移行する。また、Ｓ５１０において部屋Ａに人７０が検出され、かつＳ５３０で確認された空調モードが省エネ空調モードであるとき（Ｓ５８０）、制御装置６０は省エネ空調モードから急速空調モードへ運転を切り替える急速空調モード移行処理へ移行する(Ｓ５９０)。すなわち、Ｓ５３０で確認された空調モードが省エネ空調モードであるとき、部屋Ａは通常設定温度Ｔより負荷が小さく外気温に近い不在時設定温度ｔに制御された状態から通常設定温度Ｔへ制御される状態へ移行する段階にある。そのため、制御装置６０は、省エネ空調モードから急速空調モードへ運転を切り替えるために急速空調モード移行処理を実行する。制御装置６０は、Ｓ５２０における不在時処理、Ｓ５５０における通常空調モード処理、またはＳ５９０における急速空調モード移行処理のいずれかを実行することにより部屋Ａについての処理を終了すると、Ｓ６００における部屋Ｂの処理へ移行する。
【００３２】
Ｓ５１０における人検出処理では、制御装置６０は、図８に示すように部屋Ａの人検出センサ５１が反応したか否かを判断する（Ｓ５１１）。そして、制御装置６０は、Ｓ５１１において人検出センサ５１が反応した場合、部屋Ａに人７０が在室すると判断して部屋Ａについて在室フラグを「オン」にするとともに（Ｓ５１２）、Ｓ５３０へ移行する。また、制御装置６０は、Ｓ５１１において人検出センサ５１が反応しない場合、部屋Ａに人７０が不在であると判断し、Ｓ５２０へ移行する。
【００３３】
（不在時処理）
図９に基づいて、上述のＳ５２０における不在時処理の流れについて説明する。
制御装置６０は、Ｓ５１０における人検出処理において部屋Ａに人が不在であると判断すると、部屋Ａについて在室フラグが「オン」であるか否かを判断する在室フラグ確認処理を実行する（Ｓ５２１）。在室フラグは、部屋Ａにおける人７０の存在を示すものであり、部屋Ａに人７０の在室が確認されたときＳ３００において「オン」されるとともに、Ｓ５１０における人検出処理おいて部屋Ａに人７０の在室が確認されたときも「オン」される。ここで、不在時処理の場合、Ｓ５１０における人検出処理において部屋Ａに人７０が不在であると判断されているため、制御装置６０は在室フラグを「オフ」にする（Ｓ５２２）。すなわち、制御装置６０は、先に部屋Ａに人７０の在室が確認されたものの、その後に人７０が部屋Ａから出た場合、Ｓ５２２において部屋Ａについての在室フラグを「オフ」にする。
【００３４】
制御装置６０は、Ｓ５２２において部屋Ａの在室フラグを「オフ」にすると、部屋Ａの通常空調フラグを「オフ」にする（Ｓ５２３）。通常空調フラグは、制御の対象となる部屋において通常空調を実施する必要があるとき「オン」になる。しかし、ここで説明している制御対象である部屋Ａに人７０が不在であるとき、部屋Ａの通常空調を継続する必要はない。そのため、制御装置６０は、Ｓ５２２における部屋Ａの在室フラグを「オフ」にするとともに、部屋Ａの通常空調フラグも「オフ」にする。さらに、制御装置６０は、部屋Ａの急速空調フラグを「オフ」にする。部屋Ａに人７０が不在であるとき、部屋Ａは不在時に対応した省エネ空調処理へ移行する。そのため、制御装置６０は、部屋Ａについて通常空調フラグを「オフ」にするとともに、急速空調フラグも「オフ」にする。
【００３５】
制御装置６０は、Ｓ５２１において部屋Ａの在室フラグが「オフ」であると判断したとき（Ｓ５２１：Ｎｏ）、またはＳ５２４において急速空調フラグを「オフ」にすると、部屋Ａ以外の非制御対象部屋の急速空調フラグが「オン」であるか否かを判断する（Ｓ５２５）。図６に示すＳ５００において部屋Ａの空調制御処理を実行しているとき、部屋Ａが制御対象部屋であり、部屋Ａ以外の部屋Ｂ〜Ｄは非制御対象部屋となる。制御装置６０は、これらの非制御対象部屋のいずれかで急速空調フラグが「オン」されているか否かを判断する。家屋１１のように複数の部屋Ａ〜Ｄがある場合、部屋ごとに空調状態が異なる。そのため、制御装置６０は、上記のように部屋Ａ以外の部屋Ｂ〜Ｄのいずれかで急速空調が実施されているか否かを判断する。
【００３６】
制御装置６０は、Ｓ５２５において非制御対象部屋のいずれかで急速空調フラグが「オン」であるとき（Ｓ５２５：Ｙｅｓ）、部屋Ａに接続する空調ダクト２１を開閉弁３１で閉鎖する（Ｓ５２６）。これにより、部屋Ａにおける空調を停止し、急速空調されている他の部屋への冷気または暖気の供給を促進する。一方、制御装置６０は、Ｓ５２５において非制御対象部屋のいずれかで急速空調フラグが「オン」でない、すなわち「オフ」と判断したとき（Ｓ５２５：Ｎｏ）、部屋Ａの温度を取得する（Ｓ５２７）。制御装置６０は、部屋Ａに設けられている温度センサ４１から部屋Ａの温度を取得する。そして、制御装置６０は、Ｓ５２７で取得した部屋Ａの温度と部屋Ａの不在時設定温度ｔとを比較し、部屋Ａを不在時設定温度ｔに制御する。制御装置６０は、空調ダクト２１の開閉弁３１を開閉することにより、部屋Ａを不在時設定温度ｔに制御する。
【００３７】
制御装置６０は、Ｓ５２６において部屋Ａに接続する空調ダクト２１を開閉弁３１で閉鎖、またはＳ５２８において部屋Ａを不在時設定温度ｔに制御すると、部屋Ａについての処理を終了し、Ｓ６００における部屋Ｂの空調制御へ移行する。
【００３８】
（空調モード確認処理）
次に、図７のＳ５３０における空調モード確認処理の流れの詳細について図１０に基づいて説明する。
制御装置６０は、Ｓ５１０における人検出処理において部屋Ａに人７０が在室であると判断すると、部屋Ａの通常空調フラグが「オン」であるか否かを判断する（Ｓ５３１）。制御装置６０は、部屋Ａの通常空調フラグが「オン」であると判断したとき（Ｓ５３１：Ｙｅｓ）、部屋Ａの通常空調を継続するために、Ｓ５４０へ移行して部屋Ａを通常空調モードに維持する。一方、制御装置６０は、Ｓ５３１において部屋Ａの通常空調フラグが「オン」でないと判断したとき（Ｓ５３１：Ｎｏ）、部屋Ａの温度が通常温度範囲ΔＴ内にあるか否かを判断する（Ｓ５３２）。制御装置６０は、部屋Ａの温度センサ４１から部屋Ａの温度を取得する。そして、制御装置６０は、取得した温度が通常温度範囲ΔＴ内、すなわち通常外気温側限界温度Ｔｃ１と通常反外気温側限界温度Ｔｃ２との間にあるか否かを判断する。
【００３９】
制御装置６０は、部屋Ａの温度が通常温度範囲ΔＴ内にあると判断したとき（Ｓ５３２：Ｙｅｓ）、部屋Ａについて通常空調を実施する通常空調フラグを「オン」にするとともに（Ｓ５３３）、部屋Ａについて急速空調を実施する急速空調フラグを「オフ」にする（Ｓ５３４）。制御装置６０は、Ｓ５３３において部屋Ａの通常空調フラグを「オン」にし、Ｓ５３５において部屋Ａの急速空調フラグを「オフ」にすると、Ｓ５４０に移行して部屋Ａを通常空調モードに維持する。
【００４０】
制御装置６０は、Ｓ５３２において部屋Ａの温度が通常温度範囲ΔＴ内にないと判断したとき（Ｓ５３２：Ｎｏ）、部屋Ａの急速空調フラグが「オン」であるか否かを判断する（Ｓ５３５）。部屋Ａの温度が通常温度範囲ΔＴ内にないとき、部屋Ａを通常設定温度Ｔへ移行させるために急速空調が必要となる。この場合、直前の処理において部屋Ａについて急速空調が必要であると判断され、部屋Ａについて急速空調フラグが「オン」されていれば、部屋Ａについてはすでに急速空調モードへ移行しており、再度急速空調フラグを「オン」にする必要がない。そこで、制御装置６０は、Ｓ５３５において部屋Ａの急速空調フラグが「オン」であるか否かを判断し、急速空調フラグが「オン」であれば（Ｓ５３５：Ｙｅｓ）、急速空調モードにあると判断してＳ５６０へ移行する。また、制御装置６０は、急速空調フラグが「オン」でなければ（Ｓ５３５：Ｎｏ）、省エネ空調モードにあると判断してＳ５８０へ移行し、部屋Ａを急速空調するためにＳ５９０における急速空調モード移行処理へ移行する。
【００４１】
（急速空調モード移行処理）
図１１に基づいて、急速空調モード移行処理の流れを説明する。
制御装置６０は、図１０に示すＳ５３５において部屋Ａの急速空調フラグが「オン」でないとき、上述のように急速空調モード移行処理へ移行する。制御装置６０は、Ｓ５１０において部屋Ａへの人７０の入室を確認すると、部屋Ａについて在室フラグを「オン」にする（Ｓ５９１）。そして、制御装置６０は、部屋Ａについて急速空調モードへ移行させるために、部屋Ａについて急速空調フラグを「オン」にする（Ｓ５９２）。さらに、制御装置６０は、部屋Ａについて急速空調を実施するために、部屋Ａに接続する空調ダクト２１の開閉弁３１を全開にする（Ｓ５９３）。
【００４２】
（通常空調モード処理）
図１２に基づいて、通常空調モード処理について説明する。
制御装置６０は、図１０に示すＳ５３１で部屋Ａの通常空調フラグが「オン」であると判断されたとき（Ｓ５３１：Ｙｅｓ）、およびＳ５３２で部屋Ａの温度が通常温度範囲ΔＴ内であると判断されたとき（Ｓ５３２：Ｙｅｓ）、通常空調モード処理へ移行する。
【００４３】
制御装置６０は、図１０に示す空調モード確認処理において、部屋Ａについて通常空調モード処理であると判断すると、部屋Ａの温度を取得する（Ｓ５５１）。制御装置６０は、部屋Ａに設けられている温度センサ４１から部屋Ａの温度を取得する。制御装置６０は、Ｓ５５１で部屋Ａの温度を取得すると、急速空調フラグが「オン」の非制御対象部屋があるか否かを判断する（Ｓ５５２）。すなわち、制御装置６０は、制御対象部屋である部屋Ａ以外の非制御対象部屋である部屋Ｂ〜Ｄのいずれかで急速空調フラグが「オン」つまり急速空調が実施されている部屋があるか否かを判断する。例えば部屋Ａに人７０が在室している場合、他の部屋Ｂ〜Ｄに他の人７０が入室することがある。部屋Ａにのみ人７０が在室している場合、部屋Ａは通常空調モードで空調が実施され、他の部屋Ｂ〜Ｄは省エネ空調モードで空調が実施される。ここで、他の人７０が部屋Ｂ〜Ｄに入室すると、人７０が入室した部屋Ｂ〜Ｄは急速空調モードへ移行する。そこで、制御装置６０は、制御対象部屋である部屋Ａが通常空調モードであるとき、他の非制御対象部屋のうち急速空調が実施されている部屋があるか否かを判断する。
【００４４】
制御装置６０は、Ｓ５５２において急速空調フラグが「オン」の部屋があると判断すると（Ｓ５５２：Ｙｅｓ）、非制御対象部屋である部屋Ｂ〜Ｄのうち急速空調が実施されている部屋を抽出する（Ｓ５５３）。ここでは、例として部屋Ｃにおいて急速空調が実施されているとする。制御装置６０は、急速空調が実施されている部屋を抽出すると、急速空調が実施されているとして抽出した部屋の温度（室温）を取得する（Ｓ５５４）。すなわち、制御装置６０は、部屋Ｃに設けられている温度センサ４３から部屋Ｃの温度を取得する。制御装置６０は、抽出した部屋に制御対象部屋である部屋Ａの通常外気温側限界温度Ｔｃ１より外気温に近い温度の部屋があるか否かを判断する（Ｓ５５５）。すなわち、制御装置６０は、抽出した部屋Ｃの温度と制御対象部屋である部屋Ａの通常外気温側限界温度Ｔｃ１とを比較する。そして、部屋Ｃの温度が部屋Ａの通常外気温側限界温度Ｔｃ１よりも外気温に近いか否かを判断する。例えば、制御装置６０は、冷房時であれば部屋Ｃの温度が部屋Ａの通常外気温側限界温度Ｔｃ１より高いか否か、暖房時であれば部屋Ｃの温度が部屋Ａの通常外気温側限界温度Ｔｃ１より低いか否かを判断する。
【００４５】
制御装置６０は、抽出した部屋に部屋Ａの通常外気温側限界温度Ｔｃ１より外気温に近い温度部屋があると判断した場合（Ｓ５５５：Ｙｅｓ）、制御対象部屋である部屋Ａについて温度制御制限フラグを「オン」にする（Ｓ５５６）。すなわち、制御装置６０は、抽出した部屋Ｃの温度が部屋Ａの通常外気温側限界温度Ｔｃ１より外気温に近いとき、部屋Ａについて温度制御制限フラグを「オン」にする。例えば、制御装置６０は、冷房時であれば部屋Ｃの温度が部屋Ａの通常外気温側限界温度Ｔｃ１よりも高いとき、暖房時であれば部屋Ｃの温度が部屋Ａの通常外気温側限界温度Ｔｃ１よりも低いとき、部屋Ａの温度制御制限フラグを「オン」にする。
【００４６】
そして、制御装置６０は、部屋Ａについて温度を制御する範囲のうち外気温から遠い側の境界値Ｂｆを通常設定温度Ｔに変更する（Ｓ５５７）。制御装置６０は、部屋Ａに対し通常空調モードで空調を実施するとき、通常設定温度Ｔを挟んで通常外気温側限界温度Ｔｃ１と通常反外気温側限界温度Ｔｃ２との間を通常温度範囲ΔＴとして制御する。ここで、Ｓ５５６において温度制御制限フラグが「オン」されると、制御装置６０は部屋Ａに対し通常空調モードで空調を実施するときでも、部屋Ａについて温度を制御する範囲のうち外気温から遠い側の境界値Ｂｆを通常設定温度Ｔに変更する。例えば、部屋Ａについて通常設定温度Ｔ＝２５℃として冷房を実施する場合、部屋Ａは通常外気温側限界温度Ｔｃ１＝２６℃と通常反外気温側限界温度Ｔｃ２＝２４℃との間を通常温度範囲ΔＴとして温度制御される。この場合、温度制御制限フラグが「オン」されると、部屋Ａの温度制御の範囲のうち外気温から遠い側の境界値Ｂｆは通常設定温度Ｔである２５℃、すなわちＢｆ＝２５℃に設定される。その結果、部屋Ａは、冷房時の通常設定温度ＴがＴ＝２５℃であるとき、２５℃を下限として、２５℃から２６℃の間で温度制御される。また、部屋Ａについて通常設定温度Ｔ＝２５℃として暖房を実施する場合、部屋Ａは通常外気温側限界温度Ｔｃ１＝２４℃と通常反外気温側限界温度Ｔｃ２＝２６℃との間を通常温度範囲ΔＴとして温度制御される。この場合、温度制御フラグが「オン」されると、部屋Ａの温度制御の範囲のうち外気温から遠い境界値Ｂｆは通常設定温度Ｔである２５℃、すなわちＢｆ＝２５℃に設定される。その結果、部屋Ａは、暖房時の通常設定温度ＴがＴ＝２５℃であるとき、２５℃を上限として、２４℃から２５℃の間で温度制御される。
【００４７】
制御装置６０は、Ｓ５５５において抽出した部屋に部屋Ａの通常外気温側限界温度Ｔｃ１より外気温に近い温度部屋がないと判断した場合（Ｓ５５５：Ｎｏ）、制御対象部屋である部屋Ａについて温度制御制限フラグを「オフ」にする（Ｓ５５８）。すなわち、制御装置６０は、抽出した部屋Ｃの温度が部屋Ａの通常外気温側限界温度Ｔｃ１より外気温から遠いとき、部屋Ａについて温度制御制限フラグを「オフ」にする。例えば、制御装置６０は、冷房時であれば部屋Ｃの温度が部屋Ａの通常外気温側限界温度Ｔｃ１よりも低いとき、暖房時であれば部屋Ｃの温度が部屋Ａの通常外気温側限界温度Ｔｃ１よりも高いとき、部屋Ａの温度制御制限フラグを「オフ」にする。そして、制御装置６０は、部屋Ａについて温度を制御する範囲のうち外気温から遠い側の境界値Ｂｆを通常反外気温側限界温度Ｔｃ２に戻す（Ｓ５５９）。すなわち、制御装置６０は、通常通り部屋Ａについて通常反外気温側限界温度Ｔｃ２を外気温から遠い側の境界値Ｂｆとして部屋Ａの温度を制御する。
【００４８】
制御装置６０は、Ｓ５５２において急速空調フラグが「オン」の部屋がないと判断すると（Ｓ５５２：Ｎｏ）、部屋Ａの温度制御制限フラグが「オン」になっているか否かを判断する（Ｓ５６１）。部屋Ａにおける前回の処理において、Ｓ５５６で温度制御制限フラグが「オン」されていることがある。そのため、制御装置６０は、急速空調フラグが「オン」の非制御対象部屋がないと判断したとき、部屋Ａについて温度制御制限フラグが「オン」になっているか否かを判断する。そして、制御装置６０は、部屋Ａの温度制御制限フラグが「オン」になっていると判断したとき（Ｓ５６０：Ｙｅｓ）、部屋Ａについて温度制御制限フラグを「オフ」にするとともに（Ｓ５６１）、部屋Ａについて温度を制御する範囲のうち外気温から遠い側の境界値Ｂｆを通常反外気温側限界温度Ｔｃ２に戻す（Ｓ５６２）。すなわち、制御装置６０は、部屋Ａについて空調を制限した間に非制御対象部屋の急速空調が終了した場合、温度制御制限フラグを「オフ」にして、Ｓ５５９と同様に外気温から遠い側の境界値Ｂｆを通常反外気温側限界温度Ｔｃ２に戻す。
制御装置６０は、Ｓ５５１で取得した部屋Ａの温度と、Ｓ５５７で設定した境界値Ｂｆ、またはＳ５５９もしくはＳ５６２で戻した通常反外気温側限界温度Ｔｃ２とを比較して、部屋Ａの通常空調を実施する。
【００４９】
上記の通常空調モード処理を利用した冷房時における温度変化を図１３に基づいて説明する。図１３は、上記の制御を説明するための部屋Ａおよび部屋Ｃにおける温度変化の例である。図１３では、制御対象部屋を部屋Ａとし、非制御対象部屋のうち急速空調が実施される部屋を部屋Ｃとし、部屋Ａおよび部屋Ｃを冷房する例を示す。制御対象部屋である部屋Ａは、人７０が在室し、通常設定温度ＴＡ＝２０℃、通常外気温側限界温度Ｔｃ１Ａ＝２１℃、通常反外気温側限界温度Ｔｃ２Ａ＝１９℃に設定され、通常空調モード処理が実施されているとする。一方、非制御対象部屋である部屋Ｃは、不在時設定温度ｔＣ＝２８℃である時間τ＝０のとき、人７０が入室したとし、省エネ空調モードから急速空調モードへ移行したとする。この部屋Ｃは、通常設定温度ＴＣ＝１８℃、通常外気温側限界温度Ｔｃ１Ｃ＝１９℃、通常反外気温側限界温度Ｔｃ２Ｃ＝１７℃に設定されている。
【００５０】
τ＝０のとき、部屋Ｃは不在時設定温度ｔＣ＝２８℃であり、部屋Ａは通常設定温度ＴＡ＝２０℃である。このとき、部屋Ｃに人７０が入室すると、部屋Ｃは急速空調モードへ移行する。そのため、制御装置６０は、急速空調モードが実施されているとして抽出した部屋Ｃの温度と部屋Ａの温度とを比較する。τ＝０のとき、部屋Ｃの温度は制御対象部屋である部屋Ａの温度より高いため、制御装置６０は部屋Ａについて温度制御制限フラグを「オン」にする。これにより、制御装置６０は、部屋Ａを冷房する際の下限温度を部屋Ａの設定温度であるＴＡ＝２０℃に設定する。また、制御装置６０は、部屋Ａに接続する空調ダクト２１の開閉弁３１を全閉にし、部屋Ｃに接続する空調ダクト２３の開閉弁３３を全開にする。そのため、部屋Ｃは、急速空調モードとして、空調ユニット１２で生成した冷気が集中して供給される。
【００５１】
冷気は部屋Ｃへ集中して供給されるため、部屋Ａの温度はτ＝０からτ１にかけて徐々に上昇する。一方、部屋Ｃの温度は、τ＝０からτ１にかけて急速に低下する。徐々に上昇する部屋Ａの温度は、τ１になると部屋Ａの通常外気温側限界温度Ｔｃ１Ａ＝２１℃に達する。そのため、制御装置６０は、部屋Ａに接続する空調ダクト２１の開閉弁３１を開き、空調ユニット１２で生成した冷気を部屋Ａにも供給する。すなわち、空調ユニット１２で生成した冷気は、急速空調モードが実施されている部屋Ｃと、通常空調モードが実施されている部屋Ａとに分配される。これにより、部屋Ｃにおける温度の低下は、τ１からτ２にかけて時間τ＝０からτ１までと比較して緩やかになる。また、部屋Ａの温度も、τ１からτ２にかけて低下する。
【００５２】
τ２になると、部屋Ａの温度は、通常設定温度であるＴＡ＝２０℃まで低下する。ここで、通常であれば、図１３の破線および記号「■」で示すように、制御装置６０は部屋Ａの温度を通常反外気温側限界温度Ｔｃ２Ａ＝１９℃まで低下させる。しかし、部屋Ｃが急速空調されているとき、部屋Ａの温度制御制限フラグが「オン」され、下限温度は部屋Ａの通常設定温度であるＴＡ＝２０℃に制限されている。そのため、制御装置６０は、τ２になり部屋Ａの温度がＴＡ＝２０℃になると、部屋Ａに接続する空調ダクト２１の開閉弁３１を全閉にする。その結果、部屋Ａの温度は、τ２からτ３にかけて再び上昇する。一方、部屋Ａに接続する空調ダクト２１の開閉弁３１が全閉になることにより、τ２からτ３にかけて部屋Ｃは再び空調ユニット１２からの冷気が集中して供給される。そのため、部屋Ｃの温度は、τ＝０からτ１までと同様の傾きで急速に低下する。また、部屋Ｃは、部屋Ａについて記号「■」で示すように通常の温度制御を実施すると、図１３の破線および記号「□」で示すように温度の変化が緩やかになる。しかし、部屋Ａの温度制御の下限をＴＡ＝２０℃に設定することにより、部屋Ｃにはより早期から集中して冷気が供給される。
【００５３】
τ３になると、部屋Ａの温度は、再びＴｃ１Ａ＝２１℃に達するため、制御装置６０は部屋Ａに接続する空調ダクト２１の開閉弁３１を全開にする。そのため、部屋Ａの温度は、ＴＡ＝２０℃まで低下する。一方、空調ユニット１２から冷気は部屋Ａおよび部屋Ｃへ分配されるため、部屋Ｃの温度の低下はτ１からτ２と同様に緩やかになる。そして、τ４になると、部屋Ａの温度はＴＡ＝２０℃に達する。
【００５４】
τ４からτ６までの間は、上述のτ２からτ４までの間と同様に制御される。ここで、部屋Ｃの温度は、τ５を過ぎたτａになると、部屋Ａの通常外気温側限界温度Ｔｃ１Ａ＝２１℃を下回る。制御装置６０は、部屋Ｃの温度がＴｃ１Ａ＝２１℃を下回ると（Ｓ５５５参照）、部屋Ａについて温度制御制限フラグを「オフ」にし、部屋Ａについて温度制御の下限を通常反外気温側限界温度Ｔｃ２Ａ＝１９℃に設定する。これにより、制御装置６０は、部屋Ａについて通常空調モードとして温度の制御を実施する。その結果、部屋Ａは、Ｔｃ１Ａ＝２１℃とＴｃ２Ａ＝１９℃の間で温度が制御される。
【００５５】
一方、部屋Ｃの温度は、τ７を過ぎたτｂになると、部屋Ｃの通常設定温度ＴＣ＝１８℃を下回る。制御装置６０は、部屋Ｃの温度がＴＣ＝１８℃を下回ると、部屋Ｃの空調モードを急速空調モードから通常空調モードへ移行させる。これにより、制御装置６０は、部屋Ｃについて通常空調モードとして温度の制御を実施する。その結果、部屋Ｃは、Ｔｃ１Ｃ＝１９℃とＴｃ２Ｃ＝１７℃との間で温度が制御される。
【００５６】
上記のように部屋Ａおよび部屋Ｃについて温度を制御することにより、τ２からτ６にかけて部屋Ａの温度制御の下限が通常設定温度であるＴＡ＝２０℃になるものの、部屋Ｃの温度はより迅速に低下する。そのため、部屋Ｃは、通常の制御に比較して迅速に温度が低下する。その結果、部屋Ｃに入室した人７０に与える不快感は、より早期に低減される。また、部屋Ａについても、温度制御の下限が通常反外気温側限界温度Ｔｃ２Ａ＝１９℃から通常設定温度ＴＡ＝２０℃に変更されるに過ぎない。そのため、部屋Ａに在室している人７０も、部屋Ｃの急速空調にともなう空調の制限をほとんど感じることがない。その結果、部屋Ａに在室している人７０に対しても、不快感を増すことがない。
【００５７】
以上説明したように、制御装置６０は、部屋Ａで通常空調モードを実施しているとき、他の部屋Ｃが急速空調モードへ移行していれば、部屋Ａの空調を制限し、急速空調を実施している部屋Ｃへ冷気または暖気を集中して供給する。これにより、通常空調を実施している部屋Ａにおける不快感を増大させることなく、新たに人７０が入室した部屋Ｃの温度は迅速に変化する。したがって、既に人７０がいる部屋Ａの快適性を損なうことなく、新たに人７０が入室した部屋Ｃの不快感を迅速に低減することができる。
【００５８】
（第２実施形態）
第２実施形態によるセントラル空調システムについて説明する。第２実施形態の場合、セントラル空調システムの構成は、第１実施形態と同一であるものの、第１実施形態と相違する処理を含んでいる。以下、相違点を中心に説明する。
第２実施形態の場合、人検出処理および通常空調モード処理が第１実施形態と異なる。
【００５９】
（人検出処理）
第２実施形態では、図１４または図１５に示す手順によって人検出処理を実施している。なお、これら図１４または図１５に示す手順による人検出処理は、第１実施形態に適用してもよい。
図１４に示す人検出処理の流れについて説明する。図６に示す全体的な処理の流れのＳ５１０における人検出処理では、制御装置６０は、図１４に示すように部屋Ａの人検出センサ５１が反応したか否かを判断する（Ｓ２５１１）。そして、制御装置６０は、Ｓ２５１１において人検出センサ５１が反応しない場合（Ｓ２５１１：Ｎｏ）、不在時間タイマ値ｘｔがユーザ設定待機時間ｗｔを経過したか否かを判断する（Ｓ２５１２）。ここで、不在時間タイマ値ｘｔとは、部屋Ａに人７０が不在となった時間を示すタイマ値である。また、ユーザ設定待機時間ｗｔとは、この時間を経過すると部屋Ａについて人７０が不在であると判断される値である。制御装置６０は、部屋Ａについてユーザ設定待機時間ｗｔを経過しても人７０が検出されないとき、部屋Ａについて人７０が不在と判断する。このユーザ設定待機時間ｗｔは、ユーザが任意に設定することができる。
【００６０】
制御装置６０は、Ｓ２５１２において不在時間タイマ値ｘｔがユーザ設定待機時間ｗｔを経過、すなわちｘｔ≧ｗｔと判断すると（Ｓ２５１２：Ｙｅｓ）、不在時間タイマ値ｘｔをリセットし（Ｓ２５１３）、不在時処理へ移行する。つまり、ｘｔ≧ｗｔであれば、部屋Ａについて人７０が不在である期間がユーザ設定待機時間ｗｔを超えている。そのため、制御装置６０は、部屋Ａには人７０が不在であると判断し、不在時処理へ移行する。一方、制御装置６０は、Ｓ２５１２において不在時間タイマ値ｘｔがユーザ設定待機時間ｗｔを経過していない、すなわちｘｔ＜ｗｔと判断すると（Ｓ２５１２：Ｎｏ）、不在時間タイマ値ｘｔをカウントアップし、空調モード確認処理へ移行する。つまり、ｘｔ＜ｗｔのとき、部屋Ａについて人７０が一時的に不在になったのか、長期的に不在となったのか不明である。そのため、制御装置６０は、不在時間タイマ値ｘｔをカウントアップしつつ（Ｓ２５２４）、通常通り空調を継続するために空調モード確認処理へ移行する。また、制御装置６０は、Ｓ２５１１において人検出センサ５１が反応した場合（Ｓ２５１１：Ｙｅｓ）、部屋Ａについて人７０が在室していると判断し、不在時間タイマ値ｘｔをリセットする（Ｓ２５１５）。そして、制御装置６０は、空調モード確認処理へ移行する。
【００６１】
人７０は、制御対象部屋である部屋Ａについて在室しているとき、常に部屋Ａにおり人検出センサ５１で検出されるとは限らない。例えば人７０は、所用で部屋Ａから短時間外出したり、人検出センサ５１で検出できない位置に移動したりする。このように、部屋Ａにおいて人検出センサ５１で人７０が検出されないとき、すぐに不在時処理へ移行すると、部屋Ａの快適性を損なうおそれがある。また、例えば帰宅時間を予め設定し、その帰宅時間に部屋Ａを適温に制御する予約空調などを実施する場合、部屋Ａに人７０が検出されずに不在時処理が実施されると、部屋Ａを帰宅時間になっても適温に制御できないおそれがある。そこで、図１４に示すような人検出処理を実施することにより、予め設定したユーザ設定待機時間ｗｔに満たない短期間の外出や予約空調などの場合でも、適切な空調を継続することができる。
【００６２】
また、人検出処理は、図１５に示すような流れであってもよい。
図６に示す全体的な処理の流れのＳ５１０における人検出処理では、制御装置６０は、図１５に示すように部屋Ａの人検出センサ５１は反応したか否かを判断する（Ｓ３５１１）。そして、制御装置６０は、Ｓ３５１１において人検出センサ５１が反応しない場合（Ｓ３５１１：Ｎｏ）、現在時刻ｘｔ１と前回のルーチンで検出した前回時刻ｘｔ２との差Δｘｔをｘｔ１−ｘｔ２として算出し、この差Δｘｔを不在時間タイマ値ｘｔに設定する（Ｓ３５１２）。すなわち、制御装置６０は、前回のルーチンの時刻と現在の時刻との差Δｘｔから不在時間タイマ値ｘｔを算出する。そして、制御装置６０は、算出した不在時間タイマ値ｘｔがユーザ設定待機時間ｗｔを経過したか否かを判断する（Ｓ３５１３）。
【００６３】
制御装置６０は、Ｓ３５１３において不在時間タイマ値ｘｔがユーザ設定待機時間ｗｔを経過、すなわちｘｔ≧ｗｔと判断すると（Ｓ３５１３：Ｙｅｓ）、前回時刻ｘｔ２をクリアし（Ｓ３５１４）、不在時処理へ移行する。一方、制御装置６０は、Ｓ３５１３においてｘｔ＜ｗｔと判断すると（Ｓ３５１３：Ｎｏ）、現在時刻ｘｔ１を次回のルーチンで利用する前回時刻ｘｔ２に設定し（Ｓ３５１５）、空調モード確認処理へ移行する。また、制御装置６０は、Ｓ３５１１において人検出センサ５１が反応した場合（Ｓ３５１１：Ｙｅｓ）、部屋Ａについて人７０が在室していると判断し、前回時刻ｘｔ２をクリアする（Ｓ３５１６）。そして、制御装置６０は、空調モード確認処理へ移行する。
【００６４】
図１５に示すような人検出処理は、時刻を基準とする以外、図１４に示す人検出処理と同様である。図１５に示すような人検出処理を実施しても、予め設定したユーザ設定待機時間ｗｔに満たない短期間の外出や予約空調などの場合、適切な空調を継続することができる。
【００６５】
（通常空調モード処理）
次に、図１６に基づいて、第２実施形態による通常空調モード処理について説明する。
制御装置６０は、Ｓ５３０における空調モード確認処理において、Ｓ５３１で部屋Ａの空調フラグが「オン」であると判断されたとき（Ｓ５３１：Ｙｅｓ）、およびＳ５３２で部屋Ａの温度が通常温度範囲ΔＴであると判断されたとき（Ｓ５３２：Ｙｅｓ）、通常空調モードへ移行する。
【００６６】
制御装置６０は、図１０に示す空調モード確認処理において、部屋Ａについて通常空調モード処理であると判断すると、部屋Ａの温度を取得する（Ｓ９５１）。制御装置６０は、部屋Ａに設けられている温度センサ４１から部屋Ａの温度を取得する。制御装置６０は、Ｓ９５１で部屋Ａの温度を取得すると、部屋Ｂの急速空調フラグが「オン」であるか（Ｓ９５２）、部屋Ｃの急速空調フラグが「オン」であるか（Ｓ９５３）、部屋Ｄの急速空調フラグが「オン」であるか（Ｓ９５４）、を順に判断する。例えば部屋Ａに人７０が在室している場合、他の部屋Ｂ〜Ｄに他の人７０が入室することがある。部屋Ａにのみ人７０が在室している場合、部屋Ａは通常空調モードで空調が実施され、他の部屋Ｂ〜Ｄは省エネ空調モードで空調が実施される。ここで、他の人７０が部屋Ｂ〜Ｄに入室すると、人７０が入室した部屋Ｂ〜Ｄは急速空調モードへ移行する。そこで、制御装置６０は、制御対象部屋である部屋Ａが通常空調モードであるとき、他の非制御対象部屋である部屋Ｂ〜部屋Ｄにおいて急速空調が実施されている、すなわち急速空調フラグが「オン」となっているか否かを判断する。
【００６７】
部屋Ｂの急速空調フラグが「オン」であるとき（Ｓ９５２：Ｙｅｓ）、部屋Ｃの急速空調フラグが「オン」であるとき（Ｓ９５３：Ｙｅｓ）、部屋Ｄの急速空調フラグが「オン」であるとき（Ｓ９５４：Ｙｅｓ）、制御装置６０は急速空調中の部屋の温度が部屋Ａにおける制限外気温側限界温度Ｔｄ１より外気温に近いか否かを判断する（Ｓ９５５）。すなわち、制御装置６０は、部屋Ｂ、部屋Ｃまたは部屋Ｄのいずれか一つ以上の部屋で急速空調フラグが「オン」であるとき、非制御対象部屋急速空調優先処理へ移行し、急速空調フラグが「オン」になっている部屋の温度と、制御対象部屋である部屋Ａにおける制限外気温側限界温度Ｔｄ１とを比較する。そして、制御装置６０は、急速空調フラグが「オン」になっている部屋の温度が部屋Ａの制限外気温側限界温度Ｔｄ１より外気温に近いか否かを判断する。例えば、制御装置６０は、冷房時であれば部屋Ｂ〜Ｄの温度が部屋Ａの制限外気温側限界温度Ｔｄ１以上であるか否か、暖房時であれば部屋Ｂ〜Ｄの温度が部屋Ａの制限外気温側限界温度Ｔｄ１以下であるか否かを判断する。
【００６８】
ここで、制限外気温側限界温度Ｔｄ１は、部屋Ａについて設定されている通常外気温側限界温度Ｔｃ１よりも外気温に近く設定されている。例えば、部屋Ａを冷房する場合、通常設定温度ＴがＴ＝２５℃、通常外気温側限界温度Ｔｃ１がＴｃ１＝２６℃であれば、制限外気温側限界温度Ｔｄ１はＴｄ１＝２７℃などに設定される。また、部屋Ａを暖房する場合、通常設定温度ＴがＴ＝２５℃、通常外気温側限界温度Ｔｃ１がＴｃ１＝２３℃であれば、制限外気温側限界温度Ｔｄ１はＴｄ１＝２２℃などに設定される。
【００６９】
制御装置６０は、部屋Ｂ〜Ｄの温度が部屋Ａの通常外気温側限界温度Ｔｃ１より外気温に近いと判断すると（Ｓ９５５：Ｙｅｓ）、温度比較処理に移行し、部屋Ａの空調を停止する空調停止フラグが「オン」であるか否かを判断する（Ｓ９５６）。制御装置６０は、部屋Ａの空調停止フラグが「オフ」であると判断すると（Ｓ９５６：Ｎｏ）、部屋Ａの空調停止フラグを「オン」にする（Ｓ９５７）。そして、制御装置６０は、部屋Ａについて温度を制御する範囲のうち外気温に近い側の境界値Ｂｎを、部屋Ａについて予め設定されている制限外気温側限界温度Ｔｄ１に設定する（Ｓ９５８）。
【００７０】
一方、制御装置６０は、部屋Ａについて温度を制御する範囲のうち外気温から遠い側の境界値Ｂｆを、部屋Ａについて予め設定されている通常設定温度Ｔに設定する（Ｓ９５９）。そして、制御装置６０は、部屋Ａの空調を停止するために、部屋Ａに接続する空調ダクト２１を開閉弁３１で閉鎖する（Ｓ９６０）。すなわち、制御装置６０は、部屋Ａの空調を停止する場合、部屋Ａの温度を、外気温に近い側の境界値Ｂｎ＝Ｔｄ１と、外気温に遠い側の境界値Ｂｆ＝Ｔの間で制御する。より具体的には、制御装置６０は、部屋Ａの温度を制限外気温側限界温度Ｔｄ１と通常設定温度Ｔとの間で制御する。制御装置６０は、部屋Ａに接続する空調ダクト２１を開閉弁３１で閉鎖した後、Ｓ６００における部屋Ｂの制御へ移行する。
【００７１】
例えば、部屋Ａについて通常設定温度Ｔ＝２５℃として冷房を実施する場合、図１７に示すように部屋Ａは通常外気温側限界温度Ｔｃ１＝２６℃と通常反外気温側限界温度Ｔｃ２＝２４℃との間を通常温度範囲ΔＴとして温度制御される。この場合、部屋Ａについて空調停止フラグが「オン」されると、部屋Ａについて、外気温に近い側の境界値Ｂｎが制限外気温側限界温度Ｔｄ１＝２７℃となり、外気温に遠い側の境界値Ｂｆが制限反外気温側限界温度Ｔｄ２となる。この制限外気温側限界温度Ｔｄ１は、通常外気温側限界温度Ｔｃ１と外気温との間に設定される。また、この制限反外気温側限界温度Ｔｄ２は、通常外気温側限界温度Ｔｃ１と通常反外気温側限界温度Ｔｃ２との間に設定される。図１７に示す例の場合、制限反外気温側限界温度Ｔｄ２は、通常設定温度Ｔ＝２５℃に設定されている。そのため、空調フラグが「オン」されているとき、部屋Ａの外気温から遠い側の境界値Ｂｆは、Ｂｆ＝Ｔｄ２＝Ｔ＝２５℃となる。その結果、部屋Ａの温度は、２７℃と２５℃との間で制御される。また、部屋Ａについて通常設定温度Ｔ＝２５℃として暖房を実施する場合、部屋Ａは通常外気温側限界温度Ｔｃ１＝２４℃と通常反外気温側限界温度Ｔｃ２＝２６℃との間を通常温度範囲ΔＴとして温度制御される。この場合、部屋Ａについて空調停止フラグが「オン」されると、部屋Ａについて、外気温に近い側の境界値Ｂｎが制限外気温側限界温度Ｔｄ１＝２３℃となり、外気温に遠い側の境界値Ｂｆが通常設定温度Ｔ＝２５℃となる。この場合もＢｆ＝Ｔｄ２とすれば、Ｔｄ２＝２５℃となる。そのため、部屋Ａの温度は、２３℃と２５℃との間で制御される。
【００７２】
制御装置６０は、図１６に示すようにＳ９５６において部屋Ａの空調停止フラグが「オン」であると判断すると（Ｓ９５６：Ｙｅｓ）、部屋Ａについて空調を制限する空調制限フラグが「オン」であるか否かを判断する（Ｓ９６１）。制御装置６０は、部屋Ａについて空調制限フラグが「オフ」であると判断すると（Ｓ９６１：Ｎｏ）、部屋Ａの温度が制限外気温側限界温度Ｔｄ１より外気温に近いか否かを判断する（Ｓ９６２）。上述のように部屋Ａについて空調停止フラグが「オン」になり、部屋Ａについて空調が停止されているとき、部屋Ａの温度は制限外気温側限界温度Ｔｄ１へ達する。そこで、制御装置６０は、Ｓ９６２において部屋Ａの温度が制限外気温側限界温度Ｔｄ１よりも外気温に近いと判断すると（Ｓ９６２：Ｙｅｓ）、部屋Ａについて空調を制限するための空調制限フラグを「オン」にする（Ｓ９６３）。そして、制御装置６０は、部屋Ａに接続する空調ダクト２１の開閉弁３１を開放するとともに（Ｓ９６４）、部屋Ａの外気温に近い側の境界値Ｂｎを通常外気温側限界温度Ｔｃ１に戻す（Ｓ９６５）。これにより、部屋Ａは、空調が停止された状態が解除され、外気温から遠い側の境界値Ｂｆを通常設定温度Ｔとし、外気温に近い側の境界値Ｂｎを通常外気温側限界温度Ｔｃ１とする温度制御が実施される。
【００７３】
例えば、部屋Ａについて冷房を実施するとき、部屋Ａの空調制限フラグが「オン」であれば、部屋Ａの温度は、上限を通常外気温側限界温度Ｔｃ１（２６℃）とし、下限を通常設定温度Ｔ（２５℃）として制御される。また、部屋Ａについて暖房を実施するとき、部屋Ａの空調制限フラグが「オン」であれば、部屋Ａの温度は、上限を通常設定温度Ｔ（２５℃）とし、下限を通常外気温側限界温度Ｔｃ１（２４℃）として制御される。
【００７４】
制御装置６０は、Ｓ９６１において部屋Ａについて既に空調制御フラグが「オン」されていると判断したとき（Ｓ９６１：Ｙｅｓ）、部屋Ａの温度をＢｆ＝ＴおよびＢｎ＝Ｔｃ１として制御する。また、制御装置６０は、Ｓ９６２において部屋Ａの温度が制限外気温側限界温度Ｔｄ１よりも外気温から遠い、すなわち制限外気温側限界温度Ｔｄ１よりも通常設定温度Ｔに近いと判断すると（Ｓ９６２：Ｎｏ）、部屋Ａについて空調を停止した状態を継続する。そのため、制御装置６０は、部屋Ａの温度をＢｆ＝ＴおよびＢｎ＝Ｔｄ１として制御する。
【００７５】
制御装置６０は、部屋Ｂの急速空調フラグが「オフ」であるとき（Ｓ９５２：Ｎｏ）、部屋Ｃの急速空調フラグが「オフ」であるとき（Ｓ９５３：Ｎｏ）、部屋Ｄの急速空調フラグが「オフ」であるとき（Ｓ９５４：Ｎｏ）、部屋Ａの空調停止フラグが「オン」であるか否かを判断する（Ｓ９６６）。制御装置６０は、部屋Ａの空調停止フラグが「オン」であると判断すると（Ｓ９６６：Ｙｅｓ）、部屋Ａの空調停止フラグを「オフ」にするとともに（Ｓ９６７）、部屋Ａの空調制限フラグを「オフ」にする（Ｓ９６８）。すなわち、制御装置６０は、部屋Ａについて空調の停止または空調の制限が不要であるとして、空調停止フラグおよび空調制限フラグを「オフ」にする。さらに、制御装置６０は、部屋Ａについて外気温に近い側の境界値ＢｎをＴｃ１に設定し（Ｓ９６９）、外気温から遠い側の境界値ＢｆをＴｃ２に設定する（Ｓ９７０）。これにより、部屋Ａについての温度の制御範囲は、通常外気温側限界温度Ｔｃ１と通常反外気温側限界温度Ｔｃ２に再設定される。
【００７６】
制御装置６０は、Ｓ９６１において部屋Ａの空調制限フラグが「オン」であると判断（Ｓ９６１：Ｙｅｓ）、Ｓ９６５において部屋Ａの外気温に近い側の境界値Ｂｎを通常外気温側限界温度Ｔｃ１に設定、Ｓ９６２において部屋Ａの温度がＴｄ１よりＴに近くないと判断（Ｓ９６２：Ｎｏ）、Ｓ９７０において部屋Ａの外気温から遠い側の境界値Ｂｆを通常反外気温側限界温度Ｔｃ２に設定、またはＳ９６６において部屋Ａの空調停止フラグが「オフ」であると判断すると（Ｓ９６６：Ｎｏ）、その時点で設定されている温度の上限および下限に応じて部屋Ａの通常空調を実施する（Ｓ９７１）。
【００７７】
上記の通常空調モード処理を利用した冷房時における温度変化を図１８および図１９に基づいて説明する。
図１８および図１９は、上記の制御を説明するための部屋Ａおよび部屋Ｃにおける温度変化の例である。このうち図１８は部屋Ｃに人７０が入室した際に部屋Ａの空調がオフになっていた場合の例であり、図１９は部屋Ｃに人７０が入室した際に部屋Ａの空調がオンになっていた場合の例である。図１８および図１９では、いずれも制御対象部屋を部屋Ａとし、非制御対象部屋のうち急速空調が実施される部屋を部屋Ｃとし、部屋Ａおよび部屋Ｃを冷房する例を示す。制御対象部屋である部屋Ａは、人７０が在室し、通常設定温度ＴＡ＝２０℃、通常外気温側限界温度Ｔｃ１Ａ＝２１℃、通常反外気温側限界温度Ｔｃ２Ａ＝１９℃に設定され、通常空調モード処理が実施されているとする。また、部屋Ａの制限外気温側限界温度Ｔｄ１Ａは、通常外気温側限界温度Ｔｃ１Ａより外気温に近い、すなわちＴｃ１Ａより高い２２℃に設定されている。一方、非制御対象部屋である部屋Ｃは、不在時設定温度ｔＣ＝２９℃である時間τ＝０のとき、人７０が入室したとし、省エネ空調モードから急速空調モードへ移行したとする。この部屋Ｃは、通常設定温度ＴＣ＝２０℃、通常外気温側限界温度Ｔｃ１Ｃ＝２１℃、通常反外気温側限界温度Ｔｃ２Ｃ＝１９℃に設定されている。
【００７８】
図１８に示す場合、τ＝０のとき、部屋Ｃは不在時設定温度ｔＣ＝２９℃であり、部屋Ａは通常設定温度ＴＡ＝２０℃である。このとき、部屋Ｃに人７０が入室すると、部屋Ｃは急速空調モードへ移行する。そのため、制御装置６０は、部屋Ｃについて急速空調フラグが「オン」であるとして（Ｓ９５３参照）、部屋Ｃの温度と部屋ＡのＴｄ１Ａ＝２２℃と比較する（Ｓ９５５参照）。このとき、部屋Ｃの温度２９℃は部屋ＡのＴｄ１Ａ＝２２℃よりも高いため、制御装置６０は部屋Ａの空調停止フラグがセットされているか否かを判断する（Ｓ９５６参照）。τ＝０で部屋Ｃに人７０が入室した時点では、部屋Ａの空調停止フラグはセットされていない。そのため、制御装置６０は、部屋Ａの空調停止フラグをセットし（Ｓ９５７参照）、部屋Ａの外気温に近い高温側の境界値ＢｎをＴｄ１Ａ＝２２℃に変更する（Ｓ９５８参照）。さらに、制御装置６０は、部屋Ａの外気温から遠い低温側の境界値Ｂｆを通常設定温度であるＴＡ＝２０℃に設定する（Ｓ９５９参照）。そして、制御装置６０は、部屋Ａの空調を停止し、部屋Ａに接続する空調ダクト２１の開閉弁３１を全閉にする。そのため、空調ユニット１２で生成した冷気は、部屋Ａに供給されず、部屋Ｃへ集中して供給される。
【００７９】
冷気は部屋Ｃへ集中して供給されるため、部屋Ａの温度はτ＝０からτ２にかけて徐々に上昇する。一方、部屋Ｃの温度は、τ＝０からτ２にかけて急速に低下する。徐々に上昇する部屋Ａの温度は、τ２になると部屋Ａの制限外気温側限界温度Ｔｄ１Ａ＝２２℃に達する。そのため、制御装置６０は、部屋Ａに接続する空調ダクト２１の開閉弁３１を開き、空調ユニット１２で生成した冷気を部屋Ａにも供給する。すなわち、空調ユニット１２で生成した冷気は、急速空調モードが実施されている部屋Ｃと、通常空調モードが実施されている部屋Ａとに分配される。これにより、部屋Ｃにおける温度の低下は、τ２からτ４にかけて緩やかになる。また、部屋Ａの温度も、τ２からτ４にかけて低下する。
【００８０】
ここで、通常であれば、図１８の破線および記号「■」で示すように、τ１からτ３にかけて制御装置６０は部屋Ａの温度をＴｃ１Ａ＝２１℃とＴｃ２Ａ＝１９℃との間で制御する。しかし、部屋Ｃが急速空調されているとき、部屋Ａは、下限温度がＴＡ＝Ｔｄ２Ａ＝２０℃となり、上限温度がＴｄ１Ａ＝２２℃となる。そのため、制御装置６０は、部屋Ａの温度がτ１でＴｃ１Ａ＝２１℃に到達しても、部屋Ａの温度がＴｄ１Ａ＝２２℃に達するまでそのまま部屋Ａの空調を停止する。そして、τ２において部屋Ａの温度がＴｄ１Ａ＝２２℃に達すると、部屋Ａに接続する空調ダクト２１の開閉弁３１を全開にする。その結果、部屋Ａの温度は、τ２からτ４にかけて低下する。このとき、部屋Ｃは、部屋Ａについて記号「■」で示すように通常の温度制御を実施すると、図１８の破線および記号「□」で示すように温度の変化が緩やかになる。しかし、第２実施形態では、部屋Ａの温度制御の上限をＴｄ１Ａ＝２２℃に設定することにより、部屋Ａへの冷気の供給が制限され、部屋Ｃにはより早期から集中して冷気が供給される。その結果、図１８の記号「○」で示すように部屋Ｃにおける温度の変化は、記号「□」で示す通常の制御と比較して迅速に低下する。
【００８１】
τ４になると、部屋Ａの温度は、通常設定温度であるＴＡ＝２０℃まで低下する。そのため、制御装置６０は、τ４において部屋Ａの温度がＴＡ＝２０℃になると、部屋Ａに接続する空調ダクト２１の開閉弁３１を全閉にする。その結果、部屋Ａの温度は、τ４からτ５にかけて再び上昇する。一方、部屋Ａに接続する空調ダクト２１の開閉弁３１が全閉になることにより、τ４からτ５にかけて部屋Ｃは再び空調ユニット１２からの冷気が集中して供給される。そのため、部屋Ｃの温度は、τ＝０からτ２までと同様の傾きで急速に低下する。
【００８２】
τ５を過ぎると、部屋Ｃの温度は、Ｔｄ１Ａ＝２２℃を下回る。そのため、制御装置６０は、部屋Ａの温度制御の範囲をＴｃ１Ａ＝２１℃に戻す。これにより、制御装置６０は、τ５からτ６にかけて部屋Ａの温度を下限であるＴＡ＝２０℃と上限であるＴｃ１Ａ＝２１℃との間で制御する。そして、τ６を過ぎると、部屋Ｃの温度は部屋Ｃの通常外気温側限界温度Ｔｃ１Ｃ＝２１℃を下回る。そのため、制御装置６０は、部屋Ｃについて通常空調モードとして温度の制御を実施する。また、制御装置６０は、部屋Ａについても通常空調モードとして温度の制御を実施する。その結果、部屋ＡはＴｃ１Ａ＝２１℃とＴｃ２Ａ＝１９℃との間で温度が制御されるとともに、部屋ＣはＴｃ１Ｃ＝２１℃とＴｃ２Ｃ＝１９℃との間で温度が制御される。
【００８３】
上記のように部屋Ａおよび部屋Ｃについて温度を制御することにより、τ１からτ３にかけて部屋Ａの温度がＴｃ１Ａ＝２１℃を超え、τ２においてＴｄ１Ａ＝２２℃に達する。しかし、このように部屋Ａの温度がτ１からτ３へかけてＴｃ１Ａ＝２１℃を超えても、その温度差は１℃である。そのため、部屋Ａにいる人７０は、ほとんど不快感を受けないか、不快感を受けてもわずかであるとともに短時間である。一方、このように部屋Ａの温度制御をτ１からτ３へかけて停止することにより、新たに人７０が入室した部屋Ｃはτ１からτ４にかけて急速に冷却される。そのため、部屋Ｃに入室した人７０に与える不快感は、より早期に低減される。したがって、部屋Ａに在室している人７０に対する不快感を増すことなく、部屋Ｃへ入室した人７０の不快感を早期に解消することができる。
次に、図１９に示す例について説明する。図１９に示す場合、τ＝０のとき、部屋Ｃは不在時設定温度ｔＣ＝２９℃であり、部屋Ａは通常外気温側限界温度Ｔｃ１Ａ＝２１℃である。すなわち、部屋Ｃに人７０が入室したとき、図１８に示す場合、部屋Ａの温度はＴＡ＝２０℃であるのに対し、図１９に示す場合、部屋Ａの温度はＴｃ１Ａ＝２１℃である。τ＝０で部屋Ｃに人７０が入室すると、部屋Ｃは急速空調モードへ移行する。このとき、部屋Ｃの温度２９℃は部屋ＡのＴｄ１Ａ＝２２℃よりも高いため、制御装置６０は部屋Ａの外気温に近い高温側の境界値ＢｎをＴｄ１Ａ＝２２℃に変更する。さらに、制御装置６０は、部屋Ａの外気温から遠い低温側の境界値Ｂｆを通常設定温度であるＴＡ＝２０℃に設定する。τ＝０のとき、部屋Ａの温度は、Ｔｃ１Ａ＝２１℃であり、境界値ＢｎであるＴｄ１Ａ＝２２℃まで上昇可能である。そのため、制御装置６０は、部屋Ａの空調を停止し、部屋Ａに接続する空調ダクト２１の開閉弁３１を全閉にする。その結果、空調ユニット１２で生成した冷気は、部屋Ａに供給されず、部屋Ｃへ集中して供給される。
【００８４】
冷気は部屋Ｃへ集中して供給されるため、部屋Ａの温度はτ＝０からτ１にかけて徐々に上昇する。一方、部屋Ｃの温度は、τ＝０からτ１にかけて急激に低下する。徐々に上昇する部屋Ａの温度は、τ１になると部屋Ａの制限外気温側限界温度Ｔｄ１Ａ＝２２℃に達する。そのため、制御装置６０は、部屋Ａに接続する空調ダクト２１の開閉弁３１を開き、空調ユニット１２で生成した冷気を部屋Ａにも供給する。すなわち、空調ユニット１２で生成した冷気は、部屋Ｃおよび部屋Ａへ分配される。これにより、部屋Ｃにおける温度の低下は、τ１からτ３にかけて緩やかになる。また、部屋Ａの温度も、τ１からτ３にかけて低下する。
【００８５】
ここで、通常であれば、図１９の破線および記号「■」で示すように、τ０からτ２にかけて制御装置６０は部屋Ａの温度をＴｃ１Ａ＝２１℃とＴｃ２Ａ＝１９℃との間で制御する。しかし、部屋Ｃが急速空調されているとき、部屋Ａは、下限温度がＴＡ＝Ｔｄ２Ａ＝２０℃となり、上限温度がＴｄ１Ａ＝２２℃となる。そのため、制御装置６０は、部屋Ａの温度がτ＝０においてＴｃ１Ａ＝２１℃であっても、部屋Ａの温度がＴｄ１Ａ＝２２℃に達するτ１までそのまま部屋Ａの空調を停止する。そして、τ１において部屋Ａの温度がＴｄ１Ａ＝２２℃に達すると、部屋Ａに接続する空調ダクト２１の開閉弁３１を全開にする。その結果、部屋Ａの温度は、τ１からτ３にかけて低下する。このとき、部屋Ｃは、部屋Ａについて記号「■」で示すように通常の温度制御を実施すると、図１９の破線および記号「□」で示すように温度の変化が緩やかになる。しかし、第２実施形態の場合、部屋Ａの温度制御の上限をＴｄ１Ａ＝２２℃に設定することにより、部屋Ａへの冷気の供給が制限され、部屋Ｃにはより早期から集中して冷気が供給される。その結果、図１９の記号「○」で示すように部屋Ｃにおける温度の変化は、記号「□」で示す通常の制御と比較して迅速に低下する。
【００８６】
τ３になると、部屋Ａの温度は、通常設定温度であるＴＡ＝２０℃まで低下する。そのため、制御装置６０は、τ３において部屋Ａの温度がＴＡ＝２０℃になると、部屋Ａに接続する空調ダクト２１の開閉弁３１を全閉にする。その結果、部屋Ａの温度は、τ３からτ４にかけて再び上昇する。一方、部屋Ａに接続する空調ダクト２１の開閉弁３１が全閉になることにより、τ３からτ４にかけて部屋Ｃは再び空調ユニット１２からの冷気が集中して供給される。そのため、部屋Ｃの温度は、τ＝０からτ１までと同様の傾きで急速に低下する。
【００８７】
τ４を過ぎても、部屋Ｃの温度は、Ｔｄ１Ａ＝２２℃を上回っている。そのため、制御装置６０は、部屋Ａおよび部屋Ｃについて、τ４からτ６においてもτ＝０からτ１の間と同様に温度を制御する。そのため、部屋Ｃの温度は、記号「○」で示すように、図１９の破線および記号「■」に示す部屋Ａの通常の制御に対応する図１９の破線および記号「□」で示す場合と比較して、より迅速に低下する。一方、τ５を過ぎると、部屋Ｃの温度は、Ｔｄ１Ａ＝２２℃を下回る。これにより、制御装置６０は、τ６からは部屋Ａの温度を下限であるＴＡ＝２０℃と上限であるＴｃ１Ａ＝２１℃との間で制御する。そして、τ６を過ぎると、部屋Ｃの温度は部屋Ｃの通常外気温側限界温度Ｔｃ１Ｃ＝２１℃を下回る。そのため、制御装置６０は、部屋Ｃについて通常空調モードとして温度の制御を実施する。また、制御装置６０は、部屋Ａについても通常空調モードとして温度の制御を実施する。その結果、部屋ＡはＴｃ１Ａ＝２１℃とＴｃ２Ａ＝１９℃との間で温度が制御されるとともに、部屋ＣはＴｃ１Ｃ＝２１℃とＴｃ２Ｃ＝１９℃との間で温度が制御される。
【００８８】
上記のように部屋Ａおよび部屋Ｃについて温度を制御することにより、τ＝０からτ２にかけて部屋Ａの温度がＴｃ１Ａ＝２１℃を超え、τ１においてＴｄ１Ａ＝２２℃に達する。しかし、このように部屋Ａの温度がτ＝０からτ２へかけてＴｃ１Ａ＝２１℃を超えても、その温度差は１℃である。そのため、部屋Ａにいる人７０は、ほとんど不快感を受けないか、不快感を受けてもわずかであるとともに短時間である。一方、このように部屋Ａの温度制御をτ＝０からτ２へかけて、およびτ４からτ６にかけて停止することにより、新たに人７０が入室した部屋Ｃはτ０からτ２へかけて、およびτ４からτ６にかけて急速に冷却される。そのため、部屋Ｃに入室した人７０に与える不快感は、より早期に低減される。したがって、部屋Ａに在室している人７０に対する不快感を増すことなく、部屋Ｃへ入室した人７０の不快感を早期に解消することができる。特に、部屋Ｃに人７０が入室した早期であるτ＝０からτ３にかけて、部屋Ｃにおける温度の変化は通常の制御よりも迅速になる。したがって、不快感が大きくなりやすい人７０が部屋Ｃへ入室した直後において、部屋Ｃの温度を迅速に低下させ、部屋Ｃの人７０が受ける不快感をより迅速に低減させることができる。
【００８９】
また、上述のように図１８に示す場合、および図１９に示す場合のいずれにおいても、部屋Ａにおける通常外気温側限界温度Ｔｃ１Ａと制限外気温側限界温度Ｔｄ１Ａとは１℃である。人７０は、数℃程度の温度差は比較的感じにくい。そのため、部屋Ａにおいて外気温側の境界値がＴｃ１ＡからＴｄ１Ａへ引き上げられても、部屋Ａにいる人７０にはほとんど不快感を与えることがない。したがって、部屋Ｃを急速空調する場合でも、部屋Ａにいる人７０に与える不快感を低減することができる。また、このＴｃ１ＡとＴｄ１Ａとの差は、１℃に限らず数℃程度に設定してもよい。上記のように、人７０は数℃の程度の温度差は比較的感じにくい。そのため、部屋Ａの現在の温度や通常設定温度などに応じて、Ｔｃ１ＡとＴｄ１Ａとの差を動的に変更する構成としてもよい。
【００９０】
（その他の実施形態）
以上説明した第２実施形態は、次のように変更してもよい。
通常外気温側限界温度Ｔｃ１と制限外気温側限界温度Ｔｄ１とが近似するとき、または通常外気温側限界温度Ｔｃ２と制限外気温側限界温度Ｔｄ２とが近似するとき、外気温側と反外気温側の限界温度間の温度範囲は通常の温度範囲ΔＴと同一に設定する。そして、制限外気温側限界温度Ｔｄ２は、通常設定温度Ｔと通常反外気温側限界温度Ｔｃ２との間に設定することができる。この場合、例えば部屋Ｃにおいて急速空調モードへ移行したとき、部屋Ａは温度制御の第一回目（例えば、図１９におけるτ＝０からτ３まで）のみ、上記で設定された制限外気温側限界温度Ｔｄ１と制限反外気温側限界温度Ｔｄ２との間で温度の制御を実行する。したがって、通常外気温側限界温度Ｔｃ１と制限外気温側限界温度Ｔｄ１、および通常外気温側限界温度Ｔｃ２と制限外気温側限界温度Ｔｄ２とが近似する場合でも、制御対象部屋である部屋Ａに不快感を招くことなく、急速空調が必要な非制御対象部屋である部屋Ｃを急速に空調することができる。
【００９１】
また、第２実施形態では、制御対象部屋である部屋Ａの制限反外気温側限界温度Ｔｄ２Ａを通常設定温度ＴＡに設定する例について説明した。しかし、部屋Ａの制限反外気温側限界温度Ｔｄ２Ａは、Ｓ９５１で最初に検出した部屋Ａの現在の温度ＴｎＡであってもよい。この場合、部屋Ａについて制限外気温側限界温度Ｔｄ１Ａは、部屋ＡのＴｄ２Ａから通常温度範囲ΔＴの範囲に設定される。
【００９２】
例えば、部屋Ａは、通常設定温度ＴＡ＝２５℃、通常外気温側限界温度Ｔｃ１Ａ＝２６℃、通常反外気温側限界温度Ｔｃ２Ａ＝２４℃として通常温度範囲ΔＴ＝２℃で冷房されているとする。このとき、Ｓ９５１で検出された部屋Ａの温度がＴｎＡ＝２５．５℃であれば、この温度ＴｎＡは、ＴｎＡ＝Ｔｄ２Ａ＝２５．５℃と設定される。この場合、部屋Ａの制限外気温側限界温度Ｔｄ１Ａは、Ｔｄ２Ａ＜Ｔｄ１Ａ≦Ｔｄ２Ａ＋ΔＴに設定される。すなわち、部屋ＡのＴｄ１Ａは、２５．５℃＜Ｔｄ１Ａ≦２７．５℃に設定される。
【００９３】
上記のように部屋Ａについて、Ｔｄ１ＡおよびＴｄ２Ａを設定することにより、人７０が在室している部屋Ａの制限外気温側限界温度Ｔｄ１Ａは、外気温に近づいても、部屋Ａについての通常外気温側限界温度Ｔｃ１Ａ＝２６℃から通常温度範囲ΔＴの範囲となる。すなわち、冷房時の場合、部屋Ａの温度は、最高でも通常外気温側限界温度Ｔｃ１Ａ＝２６℃よりも数℃程度高くなるにすぎない。そのため、部屋Ｃを急速空調している場合でも、部屋Ａに在室している人７０は、部屋Ａの温度が通常外気温側限界温度Ｔｃ１を超えたことに気づきにくい。したがって、急速空調を実施する場合でも、他の部屋における不快感を低減することができる。
【００９４】
さらに、制御装置６０は、図１６のＳ９５７からＳ９６０までの温度比較処理を開始した後、部屋Ａの温度が最初にＴｄ２Ａに達すると、Ｔｄ２ＡをＴＡとＴｃ２Ａとの間に設定してもよい。例えば、部屋Ａの温度が最初に２５．５℃に達すると、Ｔｄ２Ａを２５．５℃から、ＴＡ＝２５℃とＴｃ２Ａ＝２４℃との間に変更する。これにより、部屋Ｃで急速空調している場合でも、部屋Ａに接続する空調ダクト２１の開閉弁３１の開閉間隔は通常の温度制御のときと同一となる。したがって、開閉弁３１の開閉動作の回数を増加させる必要がなく、制御を容易にすることができる。
【００９５】
以上説明した本発明は、上記実施形態に限定されるものではなく、その要旨を逸脱しない範囲で種々の実施形態に適用可能である。
【符号の説明】
【００９６】
図面中、１０はセントラル空調システム、１１は家屋、１２は空調ユニット、２１〜２４は空調ダクト、３１〜３４は開閉弁、４１〜４４は温度センサ、５１〜５４は人検出センサ、６０は制御装置、Ａ〜Ｄ：部屋を示す。
【図１】
2010271009.tif 000003
【図２】
2010271009.tif 000004
【図３】
2010271009.tif 000005
【図４】
2010271009.tif 000006
【図５】
2010271009.tif 000007
【図６】
2010271009.tif 000008
【図７】
2010271009.tif 000009
【図８】
2010271009.tif 000010
【図９】
2010271009.tif 000011
【図１０】
2010271009.tif 000012
【図１１】
2010271009.tif 000013
【図１２】
2010271009.tif 000014
【図１３】
2010271009.tif 000015
【図１４】
2010271009.tif 000016
【図１５】
2010271009.tif 000017
【図１６】
2010271009.tif 000018
【図１７】
2010271009.tif 000019
【図１８】
2010271009.tif 000020
【図１９】
2010271009.tif 000021